(57)【特許請求の範囲】
【請求項１】
空気流路及び吹出口を画成する筐体と、前記空気流路の前記吹出口側の端部である下流側端部を経て前記吹出口から吹き出される空気の流れ方向を調整可能な風向調整ユニットと、を備え、
前記風向調整ユニットは、前記吹出口の開口面と平行な回転軸、前記回転軸の周りに偏心して回転可能な板体、及び前記回転軸上に並ぶ複数の位置において前記回転軸と交差する板状の部材である複数のフィン、を有し、
前記複数のフィンの各々は、前記回転軸に対して傾斜し、前記板体と交差し、且つ前記板体が前記回転軸の周りに回転したときに前記板体が通過する領域である回転領域内に存在し、
前記筐体は、前記回転領域に沿って湾曲した内部壁面である下流側内壁面によって前記下流側端部を画成し、前記下流側内壁面を貫通して前記空気流路に開口するように前記吹出口を画成している、
空気吹出装置を複数含んでなる、空気吹出装置の集合体であって、
前記複数の空気吹出装置が備える前記風向調整ユニットのうち少なくとも１つの前記風向調整ユニットが他の前記風向調整ユニットとは異なる位相にて前記回転軸の周りに回転する、ように構成されており、
隣接する前記吹出口から吹き出される空気の流れの少なくとも一部が干渉によって収束又は発散され、
隣接する前記吹出口から吹き出される空気の流れの干渉を防止する干渉防止ユニットを更に備える、
空気吹出装置の集合体。
【請求項２】
請求項１に記載の空気吹出装置の集合体であって、
前記干渉防止ユニットが、
前記隣接する前記吹出口の間に立設された突起によって構成された、
空気吹出装置の集合体。
【請求項３】
請求項１に記載の空気吹出装置の集合体であって、
前記干渉防止ユニットが、
前記隣接する前記吹出口の間に設けられた開口部から空気を吹き出すように構成された、
空気吹出装置の集合体。
【請求項４】
請求項１に記載の空気吹出装置の集合体であって、
前記干渉防止ユニットが、
前記隣接する前記吹出口の間に形成された溝によって構成された、
空気吹出装置の集合体。
【請求項５】
請求項１乃至請求項４の何れか一項に記載の空気吹出装置の集合体であって、
前記下流側端部に供給される空気の流量を調節する風量調整ユニットを更に備える、
空気吹出装置の集合体。
【請求項６】
請求項５に記載の空気吹出装置の集合体であって、
前記風量調整ユニットが、
前記下流側端部に供給される空気の流量を前記風向調整ユニットの回転に伴って調節する、ように構成された、
空気吹出装置の集合体。
【発明の詳細な説明】
【技術分野】
【０００１】
本発明は、空気流路及び吹出口を画成する筐体と、空気流路の下流側端部を経て吹出口から吹き出される空気の流れ方向を調整可能な風向調整ユニットと、を備えた空気吹出装置に関する。更に、本発明は、上記空気吹出装置の集合体にも関する。
【背景技術】
【０００２】
従来から、自動車等の室内の環境を調整することを目的とし、同室内へ供給される冷暖房用空気等の流量及び流れ方向を操作する空気吹出装置が提案されている。従来の空気吹出装置の一つ（以下、「従来装置」とも称呼される。）は、空気流の導出路（流路）を画成する中空の柱状体と、その柱状体の内部に回動可能に保持される複数の風向調整板と、を備えている。この従来装置においては、風向調整板の回動状態（柱状体の軸線に垂直な軸周りの回動角度）が調整されることにより、従来装置から吹き出される空気の流量及び流れ方向が操作されるようになっている（例えば、特許文献１を参照。）。
【先行技術文献】
【特許文献】
【０００３】
【特許文献１】特開２０１１−０７９３７４号公報
【発明の概要】
【発明が解決しようとする課題】
【０００４】
空気吹出装置が自動車に適用される場合、空気吹出装置は、一般に、自動車のダッシュボードの周辺等に設置される。ところが、近年、ダッシュボード及びその周辺の美観の向上等の観点から、空気吹出装置を設置し得る領域の広さが減少する傾向がある。そして、これに伴い、空気吹出装置の機能を損なうこと無く、空気吹出装置を出来る限り小型化することが望まれている。
【０００５】
しかし、従来装置は、上述したように、空気吹出装置から吹き出される空気の流量及び流れ方向を風向調整板によって調整するように構成されている。そのため、一般に、風向調整板の機能（流量及び流れ方向の調整）を維持しながら空気吹出装置の全体を小型化することは困難である。例えば、空気吹出装置の全体を不用意に小型化すると、風向調整板も小さくなるので、風向調整板が流れ方向を変更し得る空気の量が減少する。そして、これに起因し、空気吹出装置から吹き出される空気流の流れ方向が十分に調整されない場合がある。一方、例えば、風向調整板の大きさを出来る限り維持しながら空気吹出装置を小型化すると、空気流の導出路に対して風向調整板が過度に大きくなるので、空気吹出装置を通過し得る空気の量が減少する。そして、これに起因し、空気吹出装置から吹き出される空気の流量が十分に確保されないことになる場合がある。
【０００６】
本発明の目的は、上記課題に鑑み、空気吹出装置としての機能を損なうこと無く小型化することが可能な空気吹出装置を提供することにある。
【課題を解決するための手段】
【０００７】
上記課題を解決するための本発明による空気吹出装置は、
空気流路及び吹出口を画成する「筐体」と、前記空気流路の前記吹出口側の端部である下流側端部を経て前記吹出口から吹き出される空気の流れ方向を調整可能な「風向調整ユニット」と、を備える。
【０００８】
より具体的には、前記風向調整ユニットは、
前記吹出口の開口面と平行な「回転軸」、
前記回転軸の周りに偏心して回転可能な「板体」、及び、
前記回転軸上に並ぶ複数の位置において前記回転軸と交差する板状の部材である複数の「フィン」、を有する。
【０００９】
更に、前記複数のフィンの各々は、
前記回転軸に対して傾斜し、
前記板体と交差し、且つ
前記板体が前記回転軸の周りに回転したときに前記板体が通過する領域である回転領域内に存在する。
【００１０】
加えて、前記筐体は、
前記回転領域に沿って湾曲した内部壁面である「下流側内壁面」によって前記下流側端部を画成し、前記湾曲した内部壁面を貫通して前記空気流路に開口するように前記吹出口を画成する。
【００１１】
上記構成によれば、回転軸が回転すると、板体及び複数のフィンも回転する。その結果、板体と複数のフィンと下流側内壁面とが回転領域内に画成する流路の向きが変化したり、当該流路の入口から出口に至る経路が変化したりする。筐体が画成する空気流路を通過して下流側端部に到達した空気は、回転領域内に形成された上記流路に沿って流れる（案内される）。即ち、上記空気は、上記流路によって案内された方向に「吹出口」から吹き出す。
【００１２】
より具体的には、板体が空気流路の軸線と平行であるとき（以下、「平行時」とも称呼される。）、空気流路を通過して下流側端部に到達した空気は、板体によって上下に分けられるものの、板体を挟むように板体に沿って（板体に平行に）流れ、吹出口から吹き出す。このように、板体は、空気吹出装置から吹き出される空気流の流れ方向の調整には実質的に寄与しない。即ち、この場合、空気吹出装置から吹き出される空気は、主としてフィンの傾きによって定まる向きに吹き出す。
【００１３】
一方、板体が空気流路の軸線と垂直であるとき（以下、「垂直時」とも称呼される。）、上述したように板体は回転軸の周りに偏心して回転するように構成されているため、回転軸を挟む一方と他方とで回転領域内に形成された流路の断面積が相違する。具体的には、空気流路の下流側端部を画成する下流側内壁面は回転領域に沿って湾曲しているため、一方の流路の断面積は実質的に０（ゼロ）となり、他方の流路の断面積は板体の大きさ及び形状に対応した値となる。そして、上記「他方の流路」を通過した空気は、フィンの傾きと、下流側内壁面の他方側と、によって定まる向きに吹き出す。このとき、空気流路の軸線に対するフィンの傾きは上記「平行時」と異なる。その結果、垂直時に空気吹出装置から吹き出される空気は、平行時とは異なる向きに吹き出す。
【００１４】
更に、板体が上記「平行時」と「垂直時」との間の状態にあるとき（以下、「中間時」とも称呼される。）、上記「一方の流路」と「他方の流路」との断面積の違い、及び、空気流路の軸線に対するフィンの傾き、は上記「平行時」及び「垂直時」とは異なる。その結果、中間時に空気吹出装置から吹き出される空気は、平行時及び垂直時とは異なる向きに吹き出す。
【００１５】
以上のように、風向調整ユニットの回転軸の回転角度によって、吹出口から吹き出される空気の流れ方向が異なる。従って、回転軸の回転角度を適宜調整することにより、吹出口から吹き出される空気流（以下、便宜上、「吹き出し空気流」とも称呼される。）の流れ方向を制御することができる。即ち、本発明に係る空気吹出装置は、従来装置において採用されている風向調整板を必要とすること無く、吹き出し空気流を制御することができる。
【００１６】
従って、本発明に係る空気吹出装置は、空気吹出装置としての機能を損なうこと無く小型化することが可能である。
【００１７】
更に、本発明に係る空気吹出装置は、従来装置において採用されている風向調整板を備える必要が無いので、従来装置に比べて（例えば、風向調整板の取り付け位置、風向調整板の大きさ及び回転範囲等を考慮する必要が無い分だけ）吹出口の形状をより自由に設計することができる。例えば、吹出口の形状として、空気吹出装置の美感を考慮した形状（例えば、高さ方向の長さが幅方向の長さよりも極めて小さい細長い（アスペクト比が高い）長方形等）が採用され得る。
【００１８】
ところで、上述したように、下流側端部は、回転領域に沿って湾曲した内部壁面である下流側内壁面によって画成される。この「回転領域に沿って湾曲」とは、回転領域において板体が回転可能な程度に僅かな隙間を空けて下流側内壁面と回転領域とが隣接していることを意味する。即ち、「回転領域に沿って湾曲」とは、下流側内壁面が回転領域に完全に外接することを意味するものではない。換言すると、下流側内壁面は、板体の端部と下流側内壁面とが干渉すること無く、板体が回転軸周りに回転することが可能であるように構成される。
【００１９】
更に、吹出口は、下流側内壁面を貫通して空気流路に開口するように画成される。この「下流側内壁面を貫通」とは、吹出口が下流側内壁面の一部を貫通することを意味する。典型的には、後述するように、吹出口の高さは回転領域の高さ（即ち、回転領域の直径）よりも小さい。
【００２０】
尚、風向調整ユニットの（回転軸の）回転角度は、例えば、板体の回転軸からの突出量がより大きい側の部分（以下、板体の「主部」とも称呼される。）が吹出口側に向いており且つ板体が空気流路の軸線と平行であるときの角度を０（ゼロ）度と定めることができる。そして、回転軸の回転方向は、その角度から板体の主部が空気吹出装置の上側に向かうときの回転軸の回転方向を正方向と定めることができる。これにより、風向調整ユニットの回転軸の回転角度は、板体の主部が突出している方向に対応して、０（ゼロ）度〜３６０度の角度として定義することができる。
【００２１】
風向調整ユニットの（回転軸の）回転角度は、所望の方法によって調整することができる。例えば、回転軸の回転角度は、図示しないリンク部材等を介して操作者が回転軸を直接操作することによって、所望の角度に調整することができる。或いは、回転軸の回転角度は、例えば、操作者からの指示に応じて、図示しないステッピングモータ等の駆動装置を使用して、所望の角度に調整することもできる。
【００２２】
本発明に係る空気吹出装置において、風向調整ユニットが備える複数のフィンの具体的な構成は、例えば、空気吹出装置に要求される吹き出し空気流の制御性能等を考慮して適宜定められ得る。
【００２３】
例えば、前記風向調整ユニットは、
前記複数のフィンの全てが平行である、ように構成され得る。
【００２４】
上記構成によれば、下流側端部に到達した空気は、複数のフィンのうちの何れのフィンにおいても、同じ方向に案内されるので、このような構成を有さない場合に比べ、吹き出し空気流の流れ方向がより精度良く制御され得る。即ち、吹き出し空気流の制御性能が高まる。
【００２５】
尚、回転軸及び板体に対するフィンの傾斜角は特に限定されず、例えば、空気吹出装置に要求される吹き出し空気流の制御性能等を考慮して適宜定められ得る。典型的には、回転軸に対するフィンの傾斜角は４５度（１３５度）であり、板体に対するフィンの傾斜角は９０度である。
【００２６】
更に、前記風向調整ユニットは、例えば、
前記複数のフィンの全てが同一の大きさ及び形状を有する、ように構成され得る。
【００２７】
上記構成によれば、下流側端部に到達した空気が複数のフィンの何れによっても同じ方向に案内されるので、複数のフィンの大きさ及び形状が同一ではない場合に比べて、吹き出し空気流の流れ方向の均一性（整流性）が高まる。尚、複数のフィンの厚みは、同一であっても、異なっていてもよい。
【００２８】
更に、前記風向調整ユニットは、例えば、
前記フィンの前記回転軸とは反対側の端部が前記下流側内壁面に対向しているときの前記フィンの前記端部と前記下流側内壁面との間の空隙の最大値が所定の閾値未満である、ように構成され得る。
【００２９】
上記構成によれば、下流側端部に到達した空気が、フィンの端部と下流側内壁面との間の空隙を通り抜けることが低減される。その結果、下流側端部に到達した空気がフィンと板体と下流側内壁面とによって画成される流路によって定まる方向に確実に案内される。従って、上記空隙の最大値が上記閾値以上である場合に比べ、吹き出し空気流の流れ方向がより精度良く制御され得る。即ち、吹き出し空気流の制御性能が高まる。
【００３０】
上記閾値は、例えば、空気吹出装置に要求される吹き出し空気流の制御性能並びに風向調整ユニット（特に、フィン及び板体）及び筐体（特に、下流側内壁面）の成形精度等を考慮して適宜定められ得る。この場合もまた、フィン及び板体の端部と下流側内壁面とが干渉すること無く、回転軸周りに回転することが可能であるように構成される。
【００３１】
更に、前記風向調整ユニットは、例えば、
前記回転軸に垂直な投影面における前記フィンの形状が前記回転軸を中心とする円である、ように構成され得る。換言すれば、風向調整ユニットの回転軸に平行な方向から風向調整ユニットを見る場合、個々のフィンの形状は「同回転軸を中心とする円」に見える。尚、この「円」は楕円及び真円を含み、より好ましくは真円である。
【００３２】
上記構成により、回転領域内に存在するという条件下においてフィンの面積を最大化することができるので、当該フィンにより下流側端部に到達した空気を効率良く案内することができる。
【００３３】
典型的には、後述する実施例において例示されるように、前記風向調整ユニットは、前記複数のフィンの全てが平行であり且つ前記板体と直交しており、前記複数のフィンの全てが同一の大きさの前記回転軸を中心とする楕円形の形状を有する、ように構成され得る。
【００３４】
本発明に係る空気吹出装置において、筐体の形状は、ダッシュボード及びその周辺の美観を向上させること等の観点から、例えば、空気吹出装置を設置し得る領域の広さ等を考慮して適宜定めることができる。
【００３５】
例えば、前記筐体は、
前記吹出口の開口面の高さが前記回転領域の直径よりも小さい、ように構成され得る。
【００３６】
上記構成により、本発明に係る空気吹出装置の吹出口の形状として、例えば、高さ方向の長さが幅方向の長さよりも極めて小さい、細長い（アスペクト比が高い）長方形等を採用することができる。即ち、空気吹出装置の外観を、ダッシュボード及びその周辺の美観を考慮した形状とすることができる。更に、下流側内壁面の面積を大きく確保することができるので、吹き出し空気流の流れ方向がより精度良く制御され得る。即ち、吹き出し空気流の制御性能が高まる。
【００３７】
更に、本発明に係る空気吹出装置は、２つ以上を組み合わせた集合体として使用され得る。例えば、それぞれの空気吹出装置により異なる方向に吹き出し空気流を吹き出して、より広い範囲に空気を吹き出したり、複数の空気吹出装置から吹き出される吹き出し空気流を収束させて風量（流量）を高めたりすることができる。このように、複数の本発明に係る空気吹出装置を組み合わせて使用することにより、吹き出し空気流の流れ方向及び流量が、より多様に制御され得る。
【００３８】
即ち、本発明のもう１つの実施態様は、上述した何れかの空気吹出装置を複数含んでなる、空気吹出装置の集合体である。これによれば、複数の本発明に係る空気吹出装置を組み合わせて使用することにより、吹き出し空気流の流れ方向及び流量を、より多様に制御することができる。
【００３９】
上述した空気吹出装置の集合体において、前記複数の空気吹出装置が備える前記風向調整ユニットの全てが同じ位相にて前記回転軸の周りに回転する、ように構成され得る。これによれば、複数の空気吹出装置から吹き出される吹き出し空気流の流れ方向が同じ方向に揃うので、例えば、目的とする方向に吹き出される吹き出し空気流の風量を高めることができる。
【００４０】
或いは、上述した空気吹出装置の集合体において、前記複数の空気吹出装置が備える前記風向調整ユニットのうち少なくとも１つの前記風向調整ユニットが他の前記風向調整ユニットとは異なる位相にて前記回転軸の周りに回転する、ようにも構成され得る。これによれば、複数の空気吹出装置から吹き出される吹き出し空気流の流れ方向が異なるので、例えば、吹き出し空気流をより広い範囲に吹き出したり、異なる空気吹出装置から吹き出される吹き出し空気流の干渉により、これらの吹き出し空気流を収束させたりすることができる。
【００４１】
ところで、上記のように複数の空気吹出装置が備える風向調整ユニットのうち少なくとも１つの風向調整ユニットを他の風向調整ユニットとは異なる位相にて回転軸の周りに回転させることにより複数の空気吹出装置から吹き出し空気流を異なる方向に吹き出す場合、これらの吹き出し空気流の干渉が生じ得る。その結果、これらの吹き出し空気流の意図せぬ収束又は発散等により、例えば、吹き出し空気流が意図せぬ方向に吹き出されたり、吹き出し空気流が目的とする方向に吹き出されなかったりする場合がある。
【００４２】
そこで、上記のように複数の空気吹出装置が備える風向調整ユニットのうち少なくとも１つの風向調整ユニットを他の風向調整ユニットとは異なる位相にて回転軸の周りに回転させる空気吹出装置の集合体は、隣接する前記吹出口から吹き出される空気の流れの干渉を防止する干渉防止ユニットを更に備え得る。これによれば、隣接する吹出口から吹き出される空気の流れ（吹き出し空気流）の干渉が防止されるので、これらの吹き出し空気流の意図せぬ収束又は発散等が低減される。その結果、空気吹出装置の集合体の全体としての吹き出し空気流が、意図せぬ方向に吹き出されたり、目的とする方向に吹き出されなかったりする問題を低減することができる。
【００４３】
尚、前記干渉防止ユニットは、前記隣接する前記吹出口の間に立設された突起によって構成され得る。この場合、典型的には、干渉防止ユニットは、隣接する吹出口の間に立設された衝立状又は板状の突起である。これにより、隣接する吹き出し空気流の干渉を物理的に低減することができる。
【００４４】
或いは、前記干渉防止ユニットは、前記隣接する前記吹出口の間に設けられた開口部から空気を吹き出すように構成され得る。この場合、典型的には、干渉防止ユニットは、隣接する吹出口の間に設けられたスリット状の開口部から空気を吹き出す。この開口部から吹き出される空気の流れが、隣接する吹き出し空気流の間に介在して、これらの吹き出し空気流の干渉を低減することができる。
【００４５】
或いは、前記干渉防止ユニットは、前記隣接する前記吹出口の間に形成された溝によって構成され得る。この場合、この溝を通って空気吹出装置の周辺の空気が吹出口の近傍へと流れることができるので、吹き出し空気流に起因する随伴流の発生が促進され、この随伴流が、隣接する吹き出し空気流の間に介在して、これらの吹き出し空気流の干渉を低減することができる。
【００４６】
ところで、本発明に係る空気吹出装置及びその集合体は、風向調整ユニットの回転により、吹き出し空気流の流れ方向及び流量を制御することができる。しかしながら、本発明に係る空気吹出装置及びその集合体は、空気流路を通って下流側端部に供給される空気の流量を調節するための機構を別途備えていてもよい。
【００４７】
即ち、上記のような空気吹出装置の集合体は、前記下流側端部に供給される空気の流量を調節する風量調整ユニットを更に備える。これにより、空気流路を通って下流側端部に供給される空気の流量を風向調整ユニットの回転とは独立して調節することができるので、吹き出し空気流の流れ方向と流量との組み合わせをより多様に制御することができる。この場合、典型的には、風量調整ユニットは、空気流路の風向調整ユニットよりも上流側に設けられたダンパである。
【００４８】
尚、風量調整ユニットは、空気吹出装置の集合体を構成する複数の空気吹出装置のそれぞれの下流側端部に供給される空気の流量を個別に調節するように構成されていてもよい。この場合、例えば、風量調整ユニットは、複数の空気吹出装置のそれぞれの空気流路の風向調整ユニットよりも上流側に設けられた複数のダンパによって構成され得る。
【００４９】
或いは、風量調整ユニットは、空気吹出装置の集合体を構成する複数の空気吹出装置の全ての下流側端部に供給される空気の流量を一括して調節するように構成されていてもよい。この場合、例えば、空気吹出装置の集合体は、空気流路の上流側の端部に１つの統合空気流路を備え、この統合空気流路が分岐して、複数の空気吹出装置のそれぞれの下流側端部へと連通しているように構成され得る。そして、風量調整ユニットは、上記統合空気流路に設けられた１つのダンパによって構成され得る。
【００５０】
ところで、本発明に係る空気吹出装置は、風向調整ユニットの回転軸の回転角度を適宜調整することにより、吹出口から吹き出される空気の流れ（吹き出し空気流）の流れ方向を制御する。従って、詳しくは後述するように、吹き出し空気流の流れ方向は、風向調整ユニットの回転軸の回転に伴って連続的に変化する。その結果、風向調整ユニットの回転軸の回転角度によっては、望ましくない方向及び／又は必要ではない方向に吹き出し空気流が吹き出される場合もあり得る。
【００５１】
上記のような場合、上述した風量調整ユニットにより、望ましくない方向及び／又は必要ではない方向に吹き出される吹き出し空気流の流量を減少させたり、望ましくない方向及び／又は必要ではない方向に吹き出し空気流が吹き出されないようにしたりすることができる。特に、風量調整ユニットは、風向調整ユニットの回転と連動して、望ましくない方向及び／又は必要ではない方向に吹き出される吹き出し空気流の流量を減少させたり、望ましくない方向及び／又は必要ではない方向に吹き出し空気流が吹き出されないようにしたりすることができることが好ましい。
【００５２】
そこで、前記風量調整ユニットは、前記下流側端部に供給される空気の流量を前記風向調整ユニットの回転に伴って調節する、ように構成され得る。これによれば、風向調整ユニットの回転軸の回転角度を調整することにより、風量調整ユニットを個別に操作すること無く、望ましくない方向及び／又は必要ではない方向に吹き出される吹き出し空気流の流量を減少させたり、望ましくない方向及び／又は必要ではない方向に吹き出し空気流が吹き出されないようにしたりすることができる。
【００５３】
本発明の他の目的、他の特徴及び付随する利点は、以下の図面を参照しつつ記述される本発明の実施形態についての説明から容易に理解されるであろう。
【図面の簡単な説明】
【００５４】
【図１】本発明の１つの実施形態に係る空気吹出装置（実施装置１０）の模式的な斜視図である。
【図２】実施装置１０の模式的な正面図及び断面図である。
【図３】実施装置１０が備える風向調整ユニット３０の模式的な正面図、上面図及び側面図である。
【図４】実施装置１０における風向調整ユニット３０の回転角度と吹き出し空気流の流れ方向との関係を表す模式図である。
【図５】実施装置１０における風向調整ユニット３０の回転角度と吹き出し空気流流れ方向との関係を表す模式図である。
【図６】本発明の１つの実施形態に係る空気吹出装置の集合体（実施集合体１００）の下流側端部１２３の外観を示す模式的な斜視図である。
【図７】実施集合体１００の下流側端部１２３の内部構造を示す模式的な斜視断面図である。
【図８】実施集合体１００の風向調整ユニット３０Ｌ及び３０Ｒの回転角度ＳＬ及びＳＲが（ａ）０（ゼロ）度、（ｂ）４５度、及び（ｃ）９０度であるときの吹き出し空気流の流れを示す模式図である。
【図９】実施集合体１００の風向調整ユニット３０Ｌ及び３０Ｒの回転角度ＳＬ及びＳＲが（ｄ）１３５度、（ｅ）１８０度、及び（ｆ）２２５度であるときの吹き出し空気流の流れを示す模式図である。
【図１０】実施集合体１００の風向調整ユニット３０Ｌ及び３０Ｒの回転角度ＳＬ及びＳＲが（ｇ）２７０度及び（ｈ）３１５度であるときの吹き出し空気流の流れを示す模式図である。
【図１１】本発明のもう１つの実施形態に係る空気吹出装置の集合体（実施集合体２００）の風向調整ユニット３０Ｌ及び３０Ｒの回転角度ＳＬ及びＳＲが、それぞれ（ａ）９０度及び２７０度、（ｂ）０（ゼロ）度及び１８０度、並びに（ｃ）１８０度及び０（ゼロ）度であるときの吹き出し空気流の流れを示す模式図である。
【図１２】実施集合体２００の風向調整ユニット３０Ｌ及び３０Ｒの回転角度ＳＬ及びＳＲが、それぞれ（ｄ）２２５度及び１３５度、（ｅ）１８０度及び１３５度、並びに（ｆ）１８０度及び２２５度であるときの吹き出し空気流の流れを示す模式図である。
【図１３】実施集合体２００の風向調整ユニット３０Ｌ及び３０Ｒの回転角度ＳＬ及びＳＲが、それぞれ（ｇ）３１５度及び２２５度、並びに（ｈ）４５度及び１３５度であるときの吹き出し空気流の流れを示す模式図である。
【図１４】本発明の更にもう１つの実施形態に係る空気吹出装置の集合体（実施集合体３００）が備える干渉防止ユニット１３０の１つの具体例を示す模式図である。
【図１５】実施集合体３００が備える干渉防止ユニット１３０のもう１つの具体例を示す模式図である。
【図１６】実施集合体３００が備える干渉防止ユニット１３０の更にもう１つの具体例を示す模式図である。
【図１７】本発明のまた更にもう１つの実施形態に係る空気吹出装置の集合体（実施集合体４００）が備える風量調整ユニット１４０の構成を示す模式的な断面図である。
【発明を実施するための形態】
【００５５】
《第１実施形態》
以下、本発明の１つの実施形態に係る空気吹出装置の一例（以下、「実施装置１０」とも称呼される。）」につき、図面を参照しながら説明する。
【００５６】
＜装置の概要＞
図１乃至図３は、実施装置１０を示す模式図である。実施装置１０は、空気導出路を画成する筐体２０と、風向調整ユニット３０と、から構成されている。以下、これら部材の構成につき、より詳細に説明される。
【００５７】
尚、以下の説明においては、実施装置１０の正面から見て、奥から手前に向かう方向は「正面方向（Ｆ）」と称呼され、逆に向かう方向は「裏面方向（Ｂ）」と称呼される。更に、実施装置１０の正面から見て、右手から左手に向かう方向は「左方向（Ｌ）」と称呼され、逆に向かう方向は「右方向（Ｒ）」と称呼される。加えて、実施装置１０の正面から見て、鉛直方向の下から上に向かう方向は「上方向（Ｕ）」と称呼され、逆に向かう方向は「下方向（Ｄ）」と称呼される。
【００５８】
図１の（ａ）は実施装置１０を正面方向から見た場合における実施装置１０の模式的な斜視図であり、（ｂ）は実施装置１０が備える風向調整ユニット３０の模式的な斜視図である。図２の（ａ）は実施装置１０の模式的な正面図である。図２の（ｂ）は、実施装置１０を（ａ）におけるＡ−Ａ平面（正面方向Ｆ、左方向Ｌ及び右方向Ｒが属する平面）にて切断した場合の実施装置１０（筐体２０及び風向調整ユニット３０）の断面を示す模式図である。図２の（ｃ）は、実施装置１０を（ａ）におけるＢ−Ｂ平面（正面方向Ｆ、上方向Ｕ及び下方向Ｄが属する平面）にて切断した場合の実施装置１０（筐体２０及び風向調整ユニット３０）の断面を示す模式図である。図２の（ｃ）において、黒塗りの四角形は板体の断面を、白抜きの四角形はフィンの断面を、それぞれ表している。但し、図２の（ａ）及び（ｂ）に示されているように、風向調整ユニット３０の回転軸に対して、板体（の長手方向）は平行であり、各々のフィンは傾斜している。
【００５９】
図１及び図２に示されるように、実施装置１０を構成する筐体２０は、全体として縦方向の長さ（高さ）に対して横方向の長さ（幅）が大きい略直方体状（薄板状）の形状を有する。筐体２０は、後端側の開口部（以下、「導入口」とも称呼される。）２１から流入した空気を、前端側の開口部（以下、「吹出口」とも称呼される。）２２から吹き出すようになっている。即ち、筐体２０は、導入口２１に流入する空気流が通過可能な空気流路をその内部に画成しており、空気流路を通過する空気流が空気流路の下流側端部２３において流れ方向を調整された空気流である吹き出し空気流を吹出口２２から所定の方向に向けて吹き出すようになっている。
【００６０】
風向調整ユニット３０は、筐体２０の内部に（即ち、空気流路内に）設けられ、空気流路の吹出口２２側の端部である下流側端部２３を経て吹出口２２から吹き出される空気の流れ方向を調整する。
【００６１】
図２の（ｃ）に示したように、筐体２０は、上記回転領域に沿って湾曲した内部壁面である下流側内壁面２４によって下流側端部２３を画成し、下流側内壁面２４を貫通して空気流路に開口するように吹出口２２を画成する、ように構成されている。吹出口２２の開口面の高さは、上記回転領域の直径よりも小さい、ように構成されている。
【００６２】
図３の（ａ）及び（ｂ）に示したように、風向調整ユニット３０は、吹出口２２の開口面と平行な回転軸３１、回転軸３１の周りに偏心して回転可能な板体３２、及び、回転軸３１上に並ぶ複数の位置において回転軸３１と交差する板状の部材である複数のフィン３３、を有する。複数のフィン３３の各々は、回転軸３１に対して傾斜し、板体３２と交差し、且つ板体３２が回転軸３１の周りに回転したときに板体３２が通過する領域である回転領域内に存在する、ように構成されている。
【００６３】
以下の説明においては、図３の（ｃ）に示したように、風向調整ユニット３０の（回転軸３１の）回転角度は、板体３２の主部（回転軸３１からの突出量がより大きい側の部分）が吹出口２２側に向いており且つ板体３２が空気流路の軸線（正面方向Ｆ）と平行であるときの角度を０（ゼロ）度と定める。そして、回転軸３１の回転方向は、その角度から板体３２の主部が実施装置１０の上側（上方向Ｕ）に向かうときの回転軸３１の回転方向を正方向と定める（図３の（ｃ）に示した反時計回りの矢印の方向）。本例においては、回転軸３１の回転角度は、操作者からの指示に応じて、図示しないステッピングモータを使用して、所望の角度に調整可能に構成されている。
【００６４】
実施装置１０によれば、上記のように回転軸３１の回転角度を調整することにより、空気流路の吹出口２２側の端部である下流側端部２３に設けられた風向調整ユニット３０の回転角度を調整して、吹出口２２から吹き出される空気の流れ方向を調整することができる。
【００６５】
＜風向調整ユニットの詳細＞
図３に示したように、複数のフィン３３の全てが、回転軸３１を中心とする同一の大きさを有する楕円形の板状の形状を有する。更に、複数のフィン３３の各々は、回転軸３１に対して４５度の角度にて（右後方から左前方の方向に）傾斜しており、板体３２と直交している。即ち、複数のフィン３３の全てが互いに平行である。これにより、風向調整ユニット３０においては、回転軸３１に垂直な投影面におけるフィン３３の形状が回転軸３１を中心とする円である、ように構成されている。
【００６６】
上記投影面において、フィン３３の半径は、板体３２が回転軸３１の周りに回転したときに板体３２が通過する領域である回転領域の半径と等しい。これにより、回転領域内に存在するという条件下においてフィン３３の面積を最大化することができる。一方、下流側端部２３は、図２の（ｃ）に示したように、上記回転領域に沿って湾曲した内部壁面である下流側内壁面２４によって画成されている。従って、実施装置１０は、下流側端部に到達した空気をフィン３３及び下流側内壁面２４によって効率良く所定の方向に案内することができる。
【００６７】
＜風向調整ユニットの回転角度と吹き出し空気流の流れ方向との関係＞
実施装置１０における風向調整ユニット３０の回転角度（Ｒ）と吹き出し空気流の流れ方向との関係につき、添付図面を参照しながら、以下に詳細に説明する。図４は、上述したように定められる風向調整ユニット３０の（回転軸３１の）回転角度Ｒが、（ａ）０（ゼロ）度、（ｂ）４５度、（ｃ）９０度及び（ｄ）１３５度であるときの吹き出し空気流の流れの側面視及び上面視をそれぞれ示している。図５は、風向調整ユニット３０の回転角度Ｒが（ｅ）１８０度、（ｆ）２２５度、（ｇ）２７０度及び（ｈ）３１５度であるときの吹き出し空気流の流れの側面視及び上面視をそれぞれ示している。
【００６８】
図４及び図５の何れにおいても、実施装置１０における風向調整ユニット３０の回転角度を表す模式的な断面図を最下段に示した。当該断面図において、黒塗りの四角形は板体３２を、白抜きの四角形はフィン３３を、それぞれ表している。個々の回転角度Ｒにおける吹き出し空気流の流れにつき以下に説明する。
【００６９】
（ａ）Ｒ＝０（ゼロ）度の場合
この場合、上述したように、板体３２の主部（回転軸３１からの突出量がより大きい側の部分）は吹出口２２側に向いており且つ板体３２が空気流路の軸線（正面方向Ｆ）と平行である。この状態は、前述した「平行時」に該当する。従って、板体３２は吹出口２２から吹き出される空気流の流れ方向の調整には実質的に寄与しない。
【００７０】
一方、図３に示したように、複数のフィン３３の各々は回転軸３１に対して４５度の角度にて傾斜しており且つ前記板体と直交している。換言すると、各々のフィン３３を構成する楕円形の板状部材は、当該楕円形の長軸が回転軸３１に対して４５度の角度にて傾斜しており且つ板体３２と同一平面内にある。即ち、複数のフィン３３の各々は、実施装置１０の正面から見て右後方から左前方の方向に空気を導くように傾いている。その結果、吹出口２２から吹き出される空気は、上方向Ｕ及び下方向Ｄの何れにも傾かず、左方向Ｌに１３度傾いた方向に吹き出した。
【００７１】
（ｂ）Ｒ＝４５度の場合
次に、風向調整ユニット３０を正方向に４５度回転させた（回転角度Ｒ＝４５度）。この状態は、前述した「中間時」に該当する。この場合、下流側端部２３における回転軸３１よりも上側の流路の断面積が板体３２の主部によって低減され（実質的に０（ゼロ）となり）、下側の流路の断面積よりも小さくなる。従って、下側の流路を通過する空気の量が相対的に増え、流速が高まり、下側の下流側内壁面２４によって上方向Ｕに案内される空気の量が増える。
【００７２】
一方、複数のフィン３３の各々は、板体３２と直交し、且つ、その長軸が板体３２と同一平面内において回転軸３１に対して４５度の角度にて傾斜している。従って、回転角度Ｒが４５度である場合、複数のフィン３３は、実施装置１０の正面から見て右下後方から左上前方の方向に空気を導くように傾いている。そのため、上記のように下側の流路を通過する空気が下側の下流側内壁面２４によって上方向Ｕに案内されるときに、当該空気は複数のフィン３３の長軸方向に沿って流れる。その結果、吹出口２２から吹き出される空気は、上方向Ｕに２５度、左方向Ｌに２２度傾いた方向に吹き出した。
【００７３】
（ｃ）Ｒ＝９０度の場合
更に、風向調整ユニット３０を正方向に９０度回転させた（回転角度Ｒ＝９０度）。この状態は、前述した「垂直時」に該当する。この場合も、下流側端部２３における回転軸３１よりも上側の流路の断面積が板体３２の主部によって低減され、下側の流路の断面積よりも小さくなる。従って、下側の流路を通過する空気の量が相対的に増え、流速が高まり、下側の下流側内壁面２４によって上方向Ｕに案内される空気の量が増える。
【００７４】
一方、複数のフィン３３は、実施装置１０の正面から見て右下から左上の方向に傾いており、前後方向に流れる空気の流れ方向の調整には寄与しない。しかしながら、上記のように下側の流路を通過する空気が下側の下流側内壁面２４によって上方向Ｕに案内されるので、当該空気は複数のフィン３３の長軸方向に対して傾いた方向に流れる。従って、複数のフィン３３の傾きにより、吹出口２２から吹き出される空気が、ある程度、左上方向に案内される。その結果、吹出口２２から吹き出される空気は、上方向Ｕに３０度、左方向Ｌに１０度傾いた方向に吹き出した。
【００７５】
（ｄ）Ｒ＝１３５度の場合
この状態も、前述した「中間時」に該当する。この場合も、下流側端部２３における回転軸３１よりも上側の流路の断面積が板体３２の主部によって低減され、下側の流路の断面積よりも小さくなる。従って、下側の流路を通過する空気の量が相対的に増え、流速が高まり、下側の下流側内壁面２４によって上方向Ｕに案内される空気の量が増える。
【００７６】
一方、複数のフィン３３は、実施装置１０の正面から見て左上後方から右下前方の方向に空気を導くように傾いている。そのため、上記のように下側の流路を通過する空気が下側の下流側内壁面２４によって上方向Ｕに案内されるときに、当該空気は複数のフィン３３の短軸方向に沿って流れる。従って、複数のフィン３３の傾きにより、吹出口２２から吹き出される空気が、ある程度、右下方向に案内される。その結果、吹出口２２から吹き出される空気は、上方向Ｕに３０度、右方向Ｒに１０度傾いた方向に吹き出した。
【００７７】
（ｅ）Ｒ＝１８０度の場合
この場合、風向調整ユニット３０は、上述した（ａ）の場合（Ｒ＝０（ゼロ）度）とは逆の方向を向いている。板体３２の主部は吹出口２２とは反対側に向いており且つ板体３２が空気流路の軸線（正面方向Ｆ）と平行である。この状態も、前述した「平行時」に該当する。即ち、板体３２は吹出口２２から吹き出される空気流の流れ方向の調整には実質的に寄与しない。一方、複数のフィン３３は、実施装置１０の正面から見て左後方から右前方の方向に空気を導くように傾いている。従って、吹出口２２から吹き出される空気は、上方向Ｕ及び下方向Ｄの何れにも傾かず、右方向Ｒに１５度傾いた方向に吹き出した。
【００７８】
（ｆ）Ｒ＝２２５度の場合
この場合、風向調整ユニット３０は、上述した（ｂ）の場合（Ｒ＝４５度）とは逆の方向を向いている。この状態も、前述した「中間時」に該当する。下流側端部２３における回転軸３１よりも下側の流路の断面積が板体３２の主部によって低減され、上側の流路の断面積よりも小さくなる。従って、上側の流路を通過する空気の量が相対的に増え、流速が高まり、上側の下流側内壁面２４によって下方向Ｄに案内される空気の量が増える。
【００７９】
一方、複数のフィン３３は、実施装置１０の正面から見て左下後方から右上前方の方向に空気を導くように傾いている。そのため、上記のように上側の流路を通過する空気が上側の下流側内壁面２４によって下方向Ｄに案内されるときに、当該空気は複数のフィン３３の短軸方向に沿って流れる。従って、複数のフィン３３の傾きにより、吹出口２２から吹き出される空気が、ある程度、右上方向に案内される。その結果、吹出口２２から吹き出される空気は、下方向Ｄに３３度、右方向Ｒに１０度傾いた方向に吹き出した。
【００８０】
（ｇ）Ｒ＝２７０度の場合
この場合、風向調整ユニット３０は、上述した（ｃ）の場合（Ｒ＝９０度）とは逆の方向を向いている。この状態も、前述した「垂直時」に該当する。この場合、下流側端部２３における回転軸３１よりも下側の流路の断面積が板体３２の主部によって低減され、上側の流路の断面積よりも小さくなる。従って、上側の流路を通過する空気の量が相対的に増え、流速が高まり、上側の下流側内壁面２４によって下方向Ｄに案内される空気の量が増える。
【００８１】
一方、複数のフィン３３は、実施装置１０の正面から見て右上から左下の方向に傾いており、前後方向に流れる空気の流れ方向の調整には寄与しない。しかしながら、上記のように下側の流路を通過する空気が上側の下流側内壁面２４によって下方向Ｄに案内されるので、当該空気は複数のフィン３３の長軸方向に対して傾いた方向に流れる。従って、複数のフィン３３の傾きにより、吹出口２２から吹き出される空気が、ある程度、左下方向に案内される。その結果、吹出口２２から吹き出される空気は、下方向Ｄに２７度、左方向Ｌに１０度傾いた方向に吹き出した。
【００８２】
（ｈ）Ｒ＝３１５度の場合
この場合、風向調整ユニット３０は、上述した（ｄ）の場合（Ｒ＝１３５度）とは逆の方向を向いている。この状態も、前述した「中間時」に該当する。この場合、下流側端部２３における回転軸３１よりも下側の流路の断面積が板体３２の主部によって低減され、上側の流路の断面積よりも小さくなる。従って、上側の流路を通過する空気の量が相対的に増え、流速が高まり、上側の下流側内壁面２４によって下方向Ｄに案内される空気の量が増える。
【００８３】
一方、複数のフィン３３は、実施装置１０の正面から見て右上後方から左下前方の方向に空気を導くように傾いている。そのため、上記のように上側の流路を通過する空気が上側の下流側内壁面２４によって下方向Ｄに案内されるときに、当該空気は複数のフィン３３の長軸方向に沿って流れる。従って、複数のフィン３３の傾きにより、吹出口２２から吹き出される空気が、ある程度、左下方向に案内される。その結果、吹出口２２から吹き出される空気は、下方向Ｄに２７度、左方向Ｌに２２度傾いた方向に吹き出した。
【００８４】
以上説明してきた風向調整ユニット３０の回転角度Ｒと吹き出し空気流の流れ方向との対応関係を以下の表１に纏める。
【００８５】
【表１】
0006682236.tif 000002
【００８６】
以上のように、実施装置１０は、風向調整ユニット３０の回転軸３１の回転角度Ｒを適宜調整することにより、吹出口２２から吹き出される空気の流れ方向を制御することができる。即ち、実施装置１０は、従来装置において採用されている風向調整板を必要とすること無く、吹き出し空気流を制御することができる。従って、実施装置１０は、空気吹出装置としての機能を損なうこと無く小型化することが可能である。
【００８７】
更に、実施装置１０は、従来装置において採用されている風向調整板を備える必要が無いので、従来装置に比べて、吹出口２２の形状をより自由に設計することができる。例えば、吹出口２２の形状として、空気吹出装置の美感を考慮した形状（例えば、高さ方向の長さが幅方向の長さよりも極めて小さい細長い（アスペクト比が高い）長方形等）が採用され得る。
【００８８】
＜変形例＞
上記のように、実施装置１０においては、複数のフィン３３の全てが平行であるように構成された。しかしながら、本発明に係る空気吹出装置において、複数のフィンの全てが平行であることは必須の要件ではなく、複数のフィンの各々の傾斜角度は、例えば、空気吹出装置に要求される吹き出し空気流の制御性能等を考慮して適宜定められ得る。
【００８９】
更に、実施装置１０においては、複数のフィン３３の全てが、回転軸３１を中心とする同一の大きさを有する楕円形の板状の形状を有する。しかしながら、本発明に係る空気吹出装置において、複数のフィンの全てが上記のような大きさ及び形状を有することは必須の要件ではなく、複数のフィンの大きさ及び形状は、例えば、空気吹出装置に要求される吹き出し空気流の制御性能等を考慮して適宜定められ得る。例えば、複数のフィンの全てが、同一の大きさを有する楕円形以外の形状を有していてもよい。或いは、異なる大きさ及び／又は形状を有する複数種の板状部材によって複数のフィンが構成されていてもよい。
【００９０】
但し、前述したように、フィンと板体と下流側内壁面とによって画成される流路によって定まる方向に下流側端部に到達した空気を確実に案内するためには、下流側端部に到達した空気がフィンの端部と下流側内壁面との間の空隙を通り抜けることが低減されることが望ましい。従って、複数のフィンの各々の大きさ及び形状の如何を問わず、上記空隙の最大値が所定の閾値未満であることが望ましい。
【００９１】
更に、前述したように、回転軸に垂直な投影面におけるフィンの形状が回転軸を中心とする円であることが望ましい。換言すれば、風向調整ユニットの回転軸に平行な方向から風向調整ユニットを見る場合、個々のフィンの形状は「同回転軸を中心とする円」に見えることが望ましい。尚、この「円」は楕円及び真円を含み、より好ましくは真円である。
【００９２】
加えて、実施装置１０においては、吹出口２２の開口面の高さが回転領域の直径よりも小さいように構成された。このことは必須の構成要件ではないが、前述したように、上記構成により、本発明に係る空気吹出装置の吹出口の形状として、例えば、アスペクト比が高い長方形等を採用することができる。従って、空気吹出装置の外観を、ダッシュボード及びその周辺の美観を考慮した形状とすることができる。更に、下流側内壁面の面積を大きく確保することができるので、吹き出し空気流の流れ方向がより精度良く制御され得る。即ち、吹き出し空気流の制御性能が高まる。
【００９３】
《第２実施形態》
ところで、前述したように、例えば、空気吹出装置に要求される吹き出し空気流の制御性能等に応じて、実施装置１０を始めとする本発明に係る空気吹出装置を複数組み合わせた集合体として使用してもよい。例えば、それぞれの空気吹出装置により異なる方向に吹き出し空気流を吹き出して、より広い範囲に空気を吹き出したり、複数の空気吹出装置から吹き出される吹き出し空気流を収束させて風量（流量）を高めたりすることができる。或いは、それぞれの空気吹出装置から吹き出される吹き出し空気流の方向を適宜組み合わせて、例えば旋回流等、空気の高度な流れを実現することも可能である。このように、吹き出し空気流の流れ方向及び／又は流量の制御における自由度を更に高めることができる。
【００９４】
そこで、本発明の１つの実施形態に係る空気吹出装置の集合体の一例（以下、「実施集合体１００」とも称呼される。）」につき、図面を参照しながら以下に説明する。
【００９５】
＜集合体の概要＞
図６は、実施集合体１００の下流側端部１２３の外観を示す模式的な斜視図である。尚、以下の説明においても、実施装置１０に関して上述した説明と同様に、実施集合体１００の正面から見て、奥から手前に向かう方向は「正面方向（Ｆ）」と称呼され、逆に向かう方向は「裏面方向（Ｂ）」と称呼される。更に、実施集合体１００の正面から見て、右手から左手に向かう方向は「左方向（Ｌ）」と称呼され、逆に向かう方向は「右方向（Ｒ）」と称呼される。加えて、実施集合体１００の正面から見て、鉛直方向の下から上に向かう方向は「上方向（Ｕ）」と称呼され、逆に向かう方向は「下方向（Ｄ）」と称呼される。
【００９６】
図６に示すように、実施集合体１００の下流側端部１２３は、図１等に示した実施装置１０の下流側端部２３を、それぞれの風向調整ユニット３０の回転軸３１が平行となるように２台重ねたものを、回転軸３１が鉛直方向に平行となるように回転させたような構成を有する。即ち、実施集合体１００の下流側端部１２３においては、実施集合体１００の正面から見て左側及び右側に２本の風向調整ユニット３０Ｌ及び３０Ｒが、それぞれの回転軸３１Ｌ及び３１Ｒが互いに平行であり且つ鉛直方向（「上下方向（Ｕ−Ｄ）」とも称呼され得る）に平行となるように配設されている。更に、下流側端部１２３において流れ方向を調整された空気流が吹き出し空気流として所定の方向に向けて吹き出される吹出口２２Ｌ及び２２Ｒが風向調整ユニット３０Ｌ及び３０Ｒの正面方向Ｆ側にそれぞれ設けられている。
【００９７】
＜風向調整ユニットの詳細＞
図７は、実施集合体１００の下流側端部１２３の内部構造を示す模式的な斜視断面図である。図７に示したように、２本の風向調整ユニット３０Ｌ及び３０Ｒは、例えば、実施装置１０について図３等を参照しながら説明した風向調整ユニット３０と同様の構成を有する。即ち、風向調整ユニット３０Ｌ及び３０Ｒにおいて、全てのフィン３３は同一の大きさを有する楕円形の板状部材であり、且つ互いに平行である。
【００９８】
更に、風向調整ユニット３０Ｌ及び３０Ｒの各々において、フィン３３を構成する楕円形の板状部材の長軸は、それぞれ回転軸３１Ｌ及び３１Ｒに対して４５度の角度にて傾斜しており且つ板体３２と同一平面内にある。加えて、回転軸３１Ｌ及び３１Ｒに垂直な投影面におけるフィン３３の形状は、それぞれ回転軸３１Ｌ及び３１Ｒを中心とする円であり、当該投影面におけるフィン３３の半径は、回転軸３１Ｌ及び３１Ｒの周りに板体３２が回転したときに板体３２が通過する領域である回転領域の半径と等しい。
【００９９】
＜下流側端部の詳細＞
実施集合体１００の筐体２０においてもまた、実施装置１０と同様に、それぞれの風向調整ユニットが有する板体が回転軸の周りに回転したときに板体が通過する領域である回転領域に沿って湾曲した内部壁面である下流側内壁面２４によって下流側端部１２３が画成され、下流側内壁面２４を貫通して空気流路に開口するように吹出口２２Ｌ及び２２Ｒが画成されている。
【０１００】
但し、実施集合体１００においては、隣接する２本の風向調整ユニット３０Ｌ及び３０Ｒの間には、それぞれの回転領域に沿って湾曲した壁面を有する隔壁１２５が設けられており、この隔壁１２５の壁面と下流側内壁面２４とによって下流側端部１２３が画成されている。これにより、実施集合体１００は、下流側端部１２３に到達した空気をフィン３３及び下流側内壁面２４及び隔壁１２５の壁面によって効率良く所定の方向に案内することができる。尚、以下の説明においては、隔壁１２５の壁面と下流側内壁面２４とを併せて「下流側内壁面１２４」と総称する場合がある。
【０１０１】
＜風向調整ユニットの回転角度と吹き出し空気流の流れ方向との関係＞
実施集合体１００は、複数の空気吹出装置が備える風向調整ユニットの全てが同じ位相にて回転軸の周りに回転するように構成されている。即ち、２本の風向調整ユニット３０Ｌ及び３０Ｒは、例えばそれぞれの回転軸３１Ｌ及び３１Ｒが互いに連動して同じ位相にて回転するように構成された歯車機構等により連動して回転するように構成されている。
【０１０２】
上記により、実施集合体１００においては、複数の空気吹出装置から吹き出される吹き出し空気流の流れ方向が同じ方向に揃う。具体的には、吹出口２２Ｌ及び２２Ｒから吹き出される吹き出し空気流の流れ方向が同じ方向に揃う。従って、実施集合体１００によれば、例えば、目的とする方向への吹き出し空気流の風量を高めることができる。
【０１０３】
実施集合体１００における風向調整ユニット３０Ｌ及び３０Ｒの回転角度（ＳＬ及びＳＲ）と吹き出し空気流の流れ方向との関係につき、添付図面を参照しながら、以下に詳細に説明する。
【０１０４】
尚、図６及び図７に示したように、実施集合体１００の下流側端部１２３は、図１等に示した実施装置１０の下流側端部２３を、それぞれの風向調整ユニット３０の回転軸３１が平行となるように２台重ねたものを、回転軸３１が鉛直方向に平行となるように回転させたような構成を有する。そこで、実施集合体１００における風向調整ユニット３０Ｌ及び３０Ｒの（回転軸３１Ｌ及び３１Ｒの）回転角度ＳＬ及びＳＲは、板体３２の回転軸からの突出量がより大きい側の部分（主部）が左方向Ｌ側に向いている（即ち、板体３２が空気流路の軸線に垂直である）ときの角度を０（ゼロ）度として定める。
【０１０５】
そして、回転軸３１Ｌ及び３１Ｒの回転方向は、実施集合体１００の下流側端部１２３を上方向Ｕから下方向Ｄに向かって観察した場合において、時計回りの回転方向を正方向と定める。これにより、風向調整ユニット３０Ｌ及び３０Ｒの回転軸３１Ｌ及び３１Ｒの回転角度ＳＬ及びＳＲは、板体３２の主部が突出している方向に対応して、０（ゼロ）度〜３６０度の角度として定義することができる。
【０１０６】
図８は、風向調整ユニット３０Ｌ及び３０Ｒの（回転軸３１Ｌ及び３１Ｒの）回転角度ＳＬ及びＳＲが、（ａ）０（ゼロ）度、（ｂ）４５度、及び（ｃ）９０度であるときの吹き出し空気流の流れの側面視及び上面視をそれぞれ示している。更に、図９は、回転軸３１Ｌ及び３１Ｒの回転角度ＳＬ及びＳＲが、（ｄ）１３５度、（ｅ）１８０度、及び（ｆ）２２５度であるときの吹き出し空気流の流れの側面視及び上面視をそれぞれ示している。加えて、図１０は、回転角度ＳＬ及びＳＲが、（ｇ）２７０度、及び（ｈ）３１５度であるときの吹き出し空気流の流れの側面視及び上面視をそれぞれ示している。このように、実施集合体１００においては、上述したように、２本の風向調整ユニット３０Ｌ及び３０Ｒが同じ位相にて回転軸３１Ｌ及び３１Ｒの周りに回転するように構成されている（ＳＬ＝ＳＲ）。
【０１０７】
図８乃至図１０に示した何れの場合においても（即ち、上記（ａ）乃至（ｈ）の何れにおいても）、風向調整ユニット３０Ｌ及び３０Ｒの回転角度ＳＬ及びＳＲを表す模式的な断面図を左端に示した。当該断面図において、黒塗りの四角形は板体３２を、白抜きの円形はフィン３３を、それぞれ表している。更に、板体３２の主部が左方向Ｌ側に向いている状態（即ち、回転角度ＳＬ＝ＳＲ＝０（ゼロ）度）からの風向調整ユニット３０Ｌ及び３０Ｒの回転角度ＳＬ及びＳＲを破線の矢印によって示すと共に、風向調整ユニット３０Ｌ及び３０Ｒの各々による吹き出し空気流の案内方向を括弧書きで示した。
【０１０８】
尚、全てのフィン３３は、その外縁のうち、板体３２と交差している部分が最も高く（最も上方向Ｕ側に位置し）、回転軸３１Ｌ及び３１Ｒを挟んで反対側の部分が最も低い（最も下方向Ｄ側に位置する）ように構成されている。個々の回転角度ＳＬ及びＳＲにおける吹き出し空気流の流れにつき、以下に詳しく説明する。
【０１０９】
（ａ）ＳＬ＝ＳＲ＝０（ゼロ）度の場合
この場合、上述したように、風向調整ユニット３０Ｌ及び３０Ｒの板体３２は何れも左方向Ｌ側に向いている。従って、下流側端部１２３における回転軸３１Ｌ及び３１Ｒよりも左方向Ｌ側の流路の断面積が板体３２の主部（回転軸３１Ｌ及び３１Ｒからの突出量がより大きい側の部分）によって低減され（実質的に０（ゼロ）となり）、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。
【０１１０】
一方、複数のフィン３３の各々は、上述したように、板体３２と直交し、且つ、その長軸が板体３２と同一平面内において回転軸３１に対して４５度の角度にて傾斜している。従って、回転角度ＳＬ及びＳＲが０（ゼロ）度である場合、複数のフィン３３は、実施集合体１００の正面から見て右下（ＲＤ）から左上（ＬＵ）の方向に傾いており、前後方向（ＦＢ）に流れる空気の流れ方向の調整には寄与しない。従って、吹出口２２Ｌ及び２２Ｒから吹き出される空気は上下方向（ＵＤ）には案内されない。その結果、吹出口２２Ｌ及び２２Ｒから吹き出される空気は、側面視においては正面方向Ｆに、上面視においては左方向Ｌに吹き出された。即ち、吹き出し空気流は左方向Ｌに吹き出された。
【０１１１】
（ｂ）ＳＬ＝ＳＲ＝４５度の場合
次に、風向調整ユニット３０Ｌ及び３０Ｒを正方向に４５度回転させた（回転角度ＳＬ＝ＳＲ＝４５度）。この場合もまた、下流側端部１２３における回転軸３１Ｌ及び３１Ｒよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。
【０１１２】
一方、回転角度ＳＬ及びＳＲが４５度である場合、複数のフィン３３は、実施集合体１００の正面から見て左上後方から右下前方の方向に空気を導くように傾いている。そのため、上記のように右方向Ｒ側の流路を通過する空気が右方向Ｒ側の下流側内壁面１２４によって左方向Ｌに案内されるときに、当該空気は複数のフィン３３の長軸方向に沿って流れる。その結果、吹出口２２Ｌ及び２２Ｒから吹き出される空気は、側面視においては下方向Ｄに、上面視においては左方向Ｌに吹き出された。即ち、吹き出し空気流は左下方向ＬＤに吹き出された。
【０１１３】
（ｃ）ＳＬ＝ＳＲ＝９０度の場合
この場合、板体３２の主部は筐体２０の導入口２１側（裏面方向Ｂ側）に向いており且つ板体３２が空気流路の軸線（前後方向ＦＢ）と平行である。従って、板体３２は吹出口２２Ｌ及び２２Ｒから吹き出される空気流の流れ方向の調整には実質的に寄与しない。
【０１１４】
一方、複数のフィン３３の各々は、実施集合体１００の正面から見て上後方から下前方の方向に空気を導くように傾いている。その結果、吹出口２２Ｌ及び２２Ｒから吹き出される空気は、側面視においては下方向Ｄに、上面視においては正面方向Ｆに吹き出された。即ち、吹き出し空気流は下方向Ｄに吹き出された。
【０１１５】
（ｄ）ＳＬ＝ＳＲ＝１３５度の場合
この場合、風向調整ユニット３０Ｌ及び３０Ｒは、上述した（ｂ）の場合（ＳＬ＝ＳＲ＝４５度）とは左右方向（ＬＲ）において逆の方向を向いている点を除き、上述した（ｂ）の場合と同様である。即ち、下流側端部１２３における回転軸３１Ｌ及び３１Ｒよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。
【０１１６】
一方、回転角度ＳＬ及びＳＲが１３５度である場合、複数のフィン３３は、実施集合体１００の正面から見て右上後方から左下前方の方向に空気を導くように傾いている。そのため、上記のように左方向Ｌ側の流路を通過する空気が左方向Ｌ側の下流側内壁面１２４によって右方向Ｒに案内されるときに、当該空気は複数のフィン３３の長軸方向に沿って流れる。その結果、吹出口２２Ｌ及び２２Ｒから吹き出される空気は、側面視においては下方向Ｄに、上面視においては右方向Ｒに吹き出された。即ち、吹き出し空気流は右下方向ＲＤに吹き出された。
【０１１７】
（ｅ）ＳＬ＝ＳＲ＝１８０度の場合
この場合、風向調整ユニット３０Ｌ及び３０Ｒは、上述した（ａ）の場合（ＳＬ＝ＳＲ＝０（ゼロ）度）とは左右方向（ＬＲ）において逆の方向を向いている点を除き、上述した（ａ）の場合と同様である。即ち、風向調整ユニット３０Ｌ及び３０Ｒの板体３２は何れも右方向Ｒ側に向いている。従って、下流側端部１２３における回転軸３１Ｌ及び３１Ｒよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。
【０１１８】
一方、複数のフィン３３は、実施集合体１００の正面から見て左下（ＬＤ）から右上（ＲＵ）の方向に傾いており、前後方向（ＦＢ）に流れる空気の流れ方向の調整には寄与しない。従って、吹出口２２Ｌ及び２２Ｒから吹き出される空気は上下方向（ＵＤ）には案内されない。その結果、吹出口２２Ｌ及び２２Ｒから吹き出される空気は、側面視においては正面方向Ｆに、上面視においては右方向Ｒに吹き出された。即ち、吹き出し空気流は右方向Ｒに吹き出された。
【０１１９】
（ｆ）ＳＬ＝ＳＲ＝２２５度の場合
風向調整ユニット３０Ｌ及び３０Ｒを正方向に２２５度回転させた（回転角度ＳＬ＝ＳＲ＝２２５度）場合もまた、下流側端部１２３における回転軸３１Ｌ及び３１Ｒよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。
【０１２０】
一方、回転角度ＳＬ及びＳＲが２２５度である場合、複数のフィン３３は、実施集合体１００の正面から見て左下後方から右上前方の方向に空気を導くように傾いている。そのため、上記のように左方向Ｌ側の流路を通過する空気が左方向Ｌ側の下流側内壁面１２４によって右方向Ｒ側に案内されるときに、当該空気は複数のフィン３３の長軸方向に沿って流れる。その結果、吹出口２２Ｌ及び２２Ｒから吹き出される空気は、側面視においては上方向Ｕに、上面視においては右方向Ｒに吹き出された。即ち、吹き出し空気流は右上方向ＲＵに吹き出された。
【０１２１】
（ｇ）ＳＬ＝ＳＲ＝２７０度の場合
この場合、風向調整ユニット３０Ｌ及び３０Ｒは、上述した（ｃ）の場合（ＳＬ＝ＳＲ＝９０度）とは前後方向（ＦＢ）において逆の方向を向いている点を除き、上述した（ｃ）の場合と同様である。即ち、板体３２の主部は筐体２０の吹出口２２Ｌ及び２２Ｒ側（正面方向Ｆ側）に向いており且つ板体３２が空気流路の軸線（前後方向ＦＢ）と平行である。従って、板体３２は吹出口２２Ｌ及び２２Ｒから吹き出される空気流の流れ方向の調整には実質的に寄与しない。
【０１２２】
一方、複数のフィン３３の各々は、実施集合体１００の正面から見て下後方から上前方の方向に空気を導くように傾いている。その結果、吹出口２２Ｌ及び２２Ｒから吹き出される空気は、側面視においては上方向Ｕに、上面視においては正面方向Ｆに吹き出された。即ち、吹き出し空気流は上方向Ｕに吹き出された。
【０１２３】
（ｈ）ＳＬ＝ＳＲ＝３１５度の場合
この場合、風向調整ユニット３０Ｌ及び３０Ｒは、上述した（ｆ）の場合（ＳＬ＝ＳＲ＝２２５度）とは左右方向（ＬＲ）において逆の方向を向いている点を除き、上述した（ｆ）の場合と同様である。即ち、下流側端部１２３における回転軸３１Ｌ及び３１Ｒよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。
【０１２４】
一方、回転角度ＳＬ及びＳＲが３１５度である場合、複数のフィン３３は、実施集合体１００の正面から見て右下後方から左上前方の方向に空気を導くように傾いている。そのため、上記のように右方向Ｒ側の流路を通過する空気が右方向Ｒ側の下流側内壁面１２４によって左方向Ｌ側に案内されるときに、当該空気は複数のフィン３３の長軸方向に沿って流れる。その結果、吹出口２２Ｌ及び２２Ｒから吹き出される空気は、側面視においては上方向Ｕに、上面視においては左方向Ｌに吹き出された。即ち、吹き出し空気流は左上方向ＬＵに吹き出された。
【０１２５】
以上説明してきた実施集合体１００における風向調整ユニット３０Ｌ及び３０Ｒの回転角度ＳＬ及びＳＲと吹き出し空気流の流れ方向との対応関係を以下の表２に纏める。
【０１２６】
【表２】
0006682236.tif 000003
【０１２７】
以上のように、実施集合体１００は、風向調整ユニット３０Ｌ及び３０Ｒの回転軸３１Ｌ及び３１Ｒの回転角度ＳＬ及びＳＲを適宜調整することにより、吹出口２２Ｌ及び２２Ｒから吹き出される空気の流れ方向を制御することができる。即ち、実施集合体１００は、従来装置において採用されている風向調整板を必要とすること無く、吹き出し空気流を制御することができる。従って、実施集合体１００は、空気吹出装置としての機能を損なうこと無く小型化することが可能である。
【０１２８】
更に、実施集合体１００は、従来装置において採用されている風向調整板を備える必要が無いので、従来装置に比べて、吹出口２２Ｌ及び２２Ｒの形状をより自由に設計することができる。例えば、吹出口２２Ｌ及び２２Ｒの形状として、空気吹出装置の美感を考慮した形状（例えば、高さ方向の長さが幅方向の長さよりも極めて小さい細長い（アスペクト比が高い）長方形等）が採用され得る。
【０１２９】
加えて、実施集合体１００においては、２本の風向調整ユニット３０Ｌ及び３０Ｒが同じ位相にて回転軸３１Ｌ及び３１Ｒの周りに回転する。これにより、吹出口２２Ｌ及び２２Ｒから吹き出される吹き出し空気流の流れ方向が同じ方向に揃うので、例えば、目的とする方向に吹き出される吹き出し空気流の風量を高めることができる。
【０１３０】
《第３実施形態》
次に、本発明のもう１つの実施形態に係る空気吹出装置の集合体の一例（以下、「実施集合体２００」とも称呼される。）」につき、図面を参照しながら以下に説明する。
【０１３１】
＜集合体の概要＞
上述したように、実施集合体１００においては、２本の風向調整ユニット３０Ｌ及び３０Ｒが同じ位相にて回転軸３１Ｌ及び３１Ｒの周りに回転するように構成されていた。これに対し、実施集合体２００においては、２本の風向調整ユニット３０Ｌ及び３０Ｒが異なる位相にて回転軸３１Ｌ及び３１Ｒの周りに回転するように構成されている。この点を除き、実施集合体２００は、実施集合体１００と同様の構成を有する。従って、実施集合体２００における風向調整ユニット及び下流側端部の詳細についての説明は割愛する。
【０１３２】
＜風向調整ユニットの回転角度と吹き出し空気流の流れ方向との関係＞
上記のように、実施集合体２００は、複数の空気吹出装置が備える風向調整ユニットが異なる位相にて回転軸の周りに回転するように構成されている。即ち、２本の風向調整ユニット３０Ｌ及び３０Ｒは、例えばそれぞれの回転軸３１Ｌ及び３１Ｒが互いに異なる位相にて回転するように構成された歯車機構等により回転するように構成されている。
【０１３３】
上記により、実施集合体２００においては、複数の空気吹出装置から吹き出される吹き出し空気流の流れ方向が異なる。具体的には、吹出口２２Ｌ及び２２Ｒから吹き出される吹き出し空気流の流れ方向が異なるので、例えば、吹き出し空気流をより広い範囲に吹き出したり、異なる空気吹出装置から吹き出される吹き出し空気流の干渉により、これらの吹き出し空気流を収束させたりすることができる。
【０１３４】
実施集合体２００における風向調整ユニット３０Ｌ及び３０Ｒの回転角度（ＳＬ及びＳＲ）と吹き出し空気流の流れ方向との関係につき、添付図面を参照しながら、以下に詳細に説明する。尚、実施集合体２００における風向調整ユニット３０Ｌ及び３０Ｒの（回転軸３１Ｌ及び３１Ｒの）回転角度ＳＬ及びＳＲもまた、実施集合体１００と同様に定義される。
【０１３５】
図１１は、風向調整ユニット３０Ｌ及び３０Ｒの（回転軸３１Ｌ及び３１Ｒの）回転角度ＳＬ及びＳＲが、それぞれ（ａ）９０度及び２７０度、（ｂ）０（ゼロ）度及び１８０度、並びに（ｃ）１８０度及び０（ゼロ）度であるときの吹き出し空気流の流れの側面視及び上面視をそれぞれ示している。更に、図１２は、回転軸３１Ｌ及び３１Ｒの回転角度ＳＬ及びＳＲが、それぞれ（ｄ）２２５度及び１３５度、（ｅ）１８０度及び１３５度、並びに（ｆ）１８０度及び２２５度であるときの吹き出し空気流の流れの側面視及び上面視をそれぞれ示している。加えて、図１３は、回転角度ＳＬ及びＳＲが、それぞれ（ｇ）３１５度及び２２５度、並びに（ｈ）４５度及び１３５度であるときの吹き出し空気流の流れの側面視及び上面視をそれぞれ示している。このように、実施集合体２００においては、上述したように、２本の風向調整ユニット３０Ｌ及び３０Ｒが異なる位相にて回転軸３１Ｌ及び３１Ｒの周りに回転するように構成されている（ＳＬ≠ＳＲ）。
【０１３６】
図１１乃至図１３に示した何れの場合においても（即ち、上記（ａ）乃至（ｈ）の何れにおいても）、風向調整ユニット３０Ｌ及び３０Ｒの回転角度ＳＬ及びＳＲを表す模式的な断面図を左端に示した。当該断面図において、黒塗りの四角形は板体３２を、白抜きの円形はフィン３３を、それぞれ表している。更に、板体３２の主部が左方向Ｌ側に向いている状態（即ち、回転角度ＳＬ＝ＳＲ＝０（ゼロ）度）からの風向調整ユニット３０Ｌ及び３０Ｒの回転角度ＳＬ及びＳＲを破線の矢印によって示すと共に、風向調整ユニット３０Ｌ及び３０Ｒの各々による吹き出し空気流の案内方向を括弧書きで示した。個々の回転角度ＳＬ及びＳＲにおける吹き出し空気流の流れにつき、以下に詳しく説明する。
【０１３７】
（ａ）ＳＬ＝９０度及びＳＲ＝２７０度の場合
この場合、風向調整ユニット３０Ｌについては、板体３２の主部は筐体２０の導入口２１側（裏面方向Ｂ側）に向いており且つ板体３２が空気流路の軸線（前後方向ＦＢ）と平行である。従って、板体３２は吹出口２２Ｌから吹き出される空気流の流れ方向の調整には実質的に寄与しない。更に、複数のフィン３３の各々は、実施集合体２００の正面から見て上後方から下前方の方向に空気を導くように傾いている。その結果、吹出口２２Ｌから吹き出される空気は下方向Ｄに吹き出される。
【０１３８】
一方、風向調整ユニット３０Ｒについては、風向調整ユニット３０Ｌ（ＳＬ＝９０度）とは前後方向（ＦＢ）において逆の方向を向いている点を除き、風向調整ユニット３０Ｌと同様である。即ち、板体３２の主部は筐体２０の吹出口２２Ｒ側（正面方向Ｆ側）に向いており且つ板体３２が空気流路の軸線（前後方向ＦＢ）と平行である。従って、板体３２は吹出口２２Ｒから吹き出される空気流の流れ方向の調整には実質的に寄与しない。更に、複数のフィン３３の各々は、実施集合体２００の正面から見て下後方から上前方の方向に空気を導くように傾いている。その結果、吹出口２２Ｒから吹き出される空気は上方向Ｕに吹き出される。
【０１３９】
以上のように、吹出口２２Ｌからの吹き出し空気流は下方向Ｄに吹き出され、吹出口２２Ｒからの吹き出し空気流は上方向Ｕに吹き出される。その結果、実施集合体２００全体としての吹き出し空気流は、側面視においては上下方向ＵＤに広がり、上面視においては正面方向Ｆに吹き出された。
【０１４０】
ところで、この場合、実施集合体２００全体としての吹き出し空気流の左右方向ＬＲにおける広がりは、前述した実施集合体１００における（ｃ）及び（ｇ）の場合と比べて、より小さかった。これは、吹出口２２Ｌからの吹き出し空気流と吹出口２２Ｒからの吹き出し空気流との干渉に起因するものと考えられる。
【０１４１】
（ｂ）ＳＬ＝０（ゼロ）度及びＳＲ＝１８０度の場合
この場合、風向調整ユニット３０Ｌについては、板体３２は左方向Ｌ側に向いている。従って、下流側端部１２３における回転軸３１Ｌよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。更に、複数のフィン３３は、実施集合体２００の正面から見て右下（ＲＤ）から左上（ＬＵ）の方向に傾いており、前後方向（ＦＢ）に流れる空気の流れ方向の調整には寄与しない。従って、吹出口２２Ｌから吹き出される空気は上下方向（ＵＤ）には案内されない。その結果、吹出口２２Ｌから吹き出される空気は左方向Ｌに吹き出される。
【０１４２】
一方、風向調整ユニット３０Ｒについては、風向調整ユニット３０Ｌとは左右方向（ＬＲ）において逆の方向を向いている点を除き、風向調整ユニット３０Ｌと同様である。即ち、風向調整ユニット３０Ｒの板体３２は右方向Ｒ側に向いている。従って、下流側端部１２３における回転軸３１Ｒよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。更に、複数のフィン３３は、実施集合体２００の正面から見て左下（ＬＤ）から右上（ＲＵ）の方向に傾いており、前後方向（ＦＢ）に流れる空気の流れ方向の調整には寄与しない。従って、吹出口２２Ｒから吹き出される空気は上下方向（ＵＤ）には案内されない。その結果、吹出口２２Ｒから吹き出される空気は右方向Ｒに吹き出される。
【０１４３】
以上のように、吹出口２２Ｌからの吹き出し空気流は左方向Ｌに吹き出され、吹出口２２Ｒからの吹き出し空気流は右方向Ｒに吹き出される。その結果、実施集合体２００全体としての吹き出し空気流は、側面視においては正面方向Ｆに吹き出され、上面視においては左右方向ＬＲに広がった。
【０１４４】
しかしながら、この場合、実施集合体２００全体としての吹き出し空気流の左右方向ＬＲにおける広がりは小さかった。これは、吹出口２２Ｌからの吹き出し空気流と吹出口２２Ｒからの吹き出し空気流との干渉に起因するものと考えられる。
【０１４５】
（ｃ）ＳＬ＝１８０度及びＳＲ＝０（ゼロ）度の場合
この場合、風向調整ユニット３０Ｌについては、板体３２は右方向Ｒ側に向いている。従って、下流側端部１２３における回転軸３１Ｌよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。更に、複数のフィン３３は、実施集合体２００の正面から見て左下（ＬＤ）から右上（ＲＵ）の方向に傾いており、前後方向（ＦＢ）に流れる空気の流れ方向の調整には寄与しない。従って、吹出口２２Ｌから吹き出される空気は上下方向（ＵＤ）には案内されない。その結果、吹出口２２Ｌから吹き出される空気は右方向Ｒに吹き出される。
【０１４６】
一方、風向調整ユニット３０Ｒについては、風向調整ユニット３０Ｌとは左右方向（ＬＲ）において逆の方向を向いている点を除き、風向調整ユニット３０Ｌと同様である。即ち、風向調整ユニット３０Ｒの板体３２は左方向Ｌ側に向いている。従って、下流側端部１２３における回転軸３１Ｒよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。更に、複数のフィン３３は、実施集合体２００の正面から見て右下（ＲＤ）から左上（ＬＵ）の方向に傾いており、前後方向（ＦＢ）に流れる空気の流れ方向の調整には寄与しない。従って、吹出口２２Ｒから吹き出される空気は上下方向（ＵＤ）には案内されない。その結果、吹出口２２Ｒから吹き出される空気は左方向Ｌに吹き出される。
【０１４７】
以上のように、吹出口２２Ｌからの吹き出し空気流は右方向Ｒに吹き出され、吹出口２２Ｒからの吹き出し空気流は左方向Ｌに吹き出される。従って、吹出口２２Ｌからの吹き出し空気流と吹出口２２Ｒからの吹き出し空気流とは、吹き出された直後に衝突／合流して互いに均衡し、正面方向に流れる。その結果、実施集合体２００全体としての吹き出し空気流は、側面視及び上面視の両方においては正面方向Ｆに吹き出された。
【０１４８】
（ｄ）ＳＬ＝２２５度及びＳＲ＝１３５度の場合
この場合、風向調整ユニット３０Ｌについては、板体３２を正方向に２２５度回転させた状態にある（回転角度ＳＬ＝２２５度）。この場合、下流側端部１２３における回転軸３１Ｌよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。更に、複数のフィン３３は、実施集合体２００の正面から見て左下後方から右上前方の方向に空気を導くように傾いている。そのため、上記のように左方向Ｌ側の流路を通過する空気が左方向Ｌ側の下流側内壁面１２４によって右方向Ｒ側に案内されるときに、当該空気は複数のフィン３３の長軸方向に沿って流れる。その結果、吹出口２２Ｌから吹き出される空気は若干上方向Ｕ寄りの右方向Ｒ（Ｒｕ）に吹き出される。
【０１４９】
一方、風向調整ユニット３０Ｒについては、板体３２を正方向に１３５度回転させた状態にある（回転角度ＳＲ＝１３５度）。この場合、下流側端部１２３における回転軸３１Ｒよりも右方向Ｒ側の流路の断面積が板体３２の主部によって低減され、左方向Ｌ側の流路の断面積よりも小さくなる。従って、左方向Ｌ側の流路を通過する空気の量が相対的に増え、流速が高まり、左方向Ｌ側の下流側内壁面１２４によって右方向Ｒに案内される空気の量が増える。更に、複数のフィン３３は、実施集合体２００の正面から見て右上後方から左下前方の方向に空気を導くように傾いている。そのため、上記のように左方向Ｌ側の流路を通過する空気が左方向Ｌ側の下流側内壁面１２４によって右方向Ｒに案内されるときに、当該空気は複数のフィン３３の長軸方向に沿って流れる。その結果、吹出口２２Ｒから吹き出される空気は若干下方向Ｄ寄りの右方向Ｒ（Ｒｄ）に吹き出される。
【０１５０】
以上のように、吹出口２２Ｌからの吹き出し空気流は若干上方向Ｕ寄りの右方向Ｒ（Ｒｕ）に吹き出され、吹出口２２Ｒからの吹き出し空気流は若干下方向Ｄ寄りの右方向Ｒ（Ｒｄ）に吹き出される。その結果、実施集合体２００全体としての吹き出し空気流は、側面視においては若干の広がりを保ちつつ正面方向Ｆに吹き出され、上面視においては右方向Ｒに吹き出された。
【０１５１】
しかしながら、この場合、実施集合体２００全体としての吹き出し空気流の上下方向ＵＤにおける広がりは小さかった。これは、吹出口２２Ｌからの吹き出し空気流と吹出口２２Ｒからの吹き出し空気流との干渉に起因するものと考えられる。
【０１５２】
（ｅ）ＳＬ＝１８０度及びＳＲ＝１３５度の場合
この場合、風向調整ユニット３０Ｌについては、上述した（ｃ）の場合における風向調整ユニット３０Ｌと同様に、板体３２は右方向Ｒ側に向いている。従って、吹出口２２Ｌから吹き出される空気は、左方向Ｌ側の下流側内壁面１２４によって右方向Ｒに案内され、上下方向（ＵＤ）には案内されない。その結果、吹出口２２Ｌから吹き出される空気は右方向Ｒに吹き出される。
【０１５３】
一方、風向調整ユニット３０Ｒについては、上述した（ｄ）の場合における風向調整ユニット３０Ｒと同様に、板体３２を正方向に１３５度回転させた状態にある（回転角度ＳＲ＝１３５度）。従って、吹出口２２Ｒから吹き出される空気は、左方向Ｌ側の下流側内壁面１２４によって右方向Ｒに案内されると共に、複数のフィン３３の長軸方向に沿って、ある程度下方向Ｄに流れる。その結果、吹出口２２Ｒから吹き出される空気は若干下方向Ｄ寄りの右方向Ｒ（Ｒｄ）に吹き出される。
【０１５４】
以上のように、吹出口２２Ｌからの吹き出し空気流は右方向Ｒに吹き出され、吹出口２２Ｒからの吹き出し空気流は若干下方向Ｄ寄りの右方向Ｒ（Ｒｄ）に吹き出される。従って、吹出口２２Ｌからの吹き出し空気流と吹出口２２Ｒからの吹き出し空気流との衝突／合流の結果、実施集合体２００全体としての吹き出し空気流は、側面視においては正面方向Ｆよりも僅かに下方向Ｄに吹き出され、上面視においては右方向Ｒに吹き出された。
【０１５５】
しかしながら、この場合、実施集合体２００全体としての吹き出し空気流の上下方向ＵＤにおける広がりは小さかった。これは、吹出口２２Ｌからの吹き出し空気流と吹出口２２Ｒからの吹き出し空気流との干渉に起因するものと考えられる。
【０１５６】
（ｆ）ＳＬ＝１８０度及びＳＲ＝２２５度の場合
この場合も、風向調整ユニット３０Ｌについては、上述した（ｃ）及び（ｅ）の場合と同様に、板体３２は右方向Ｒ側に向いている。従って、吹出口２２Ｌから吹き出される空気は、左方向Ｌ側の下流側内壁面１２４によって右方向Ｒに案内され、上下方向（ＵＤ）には案内されない。その結果、吹出口２２Ｌから吹き出される空気は右方向Ｒに吹き出される。
【０１５７】
一方、風向調整ユニット３０Ｒについては、上述した（ｄ）の場合における風向調整ユニット３０Ｌと同様に、板体３２を正方向に２２５度回転させた状態にある（回転角度ＳＲ＝２２５度）。従って、吹出口２２Ｒから吹き出される空気は、左方向Ｌ側の下流側内壁面１２４によって右方向Ｒに案内されると共に、複数のフィン３３の長軸方向に沿って、ある程度上方向Ｕに流れる。その結果、吹出口２２Ｌから吹き出される空気は若干上方向Ｕ寄りの右方向Ｒ（Ｒｕ）に吹き出される。
【０１５８】
以上のように、吹出口２２Ｌからの吹き出し空気流は右方向Ｒに吹き出され、吹出口２２Ｒからの吹き出し空気流は若干上方向Ｕ寄りの右方向Ｒ（Ｒｕ）に吹き出される。従って、吹出口２２Ｌからの吹き出し空気流と吹出口２２Ｒからの吹き出し空気流との衝突／合流の結果、実施集合体２００全体としての吹き出し空気流は、側面視においては正面方向Ｆよりも僅かに上方向Ｕに吹き出され、上面視においては右方向Ｒに吹き出された。
【０１５９】
しかしながら、この場合、実施集合体２００全体としての吹き出し空気流の上下方向ＵＤにおける広がりは小さかった。これは、吹出口２２Ｌからの吹き出し空気流と吹出口２２Ｒからの吹き出し空気流との干渉に起因するものと考えられる。
【０１６０】
（ｇ）ＳＬ＝３１５度及びＳＲ＝２２５度の場合
この場合、風向調整ユニット３０Ｌについては、板体３２を正方向に３１５度回転させた状態にある（回転角度ＳＬ＝３１５度）。この場合、下流側端部１２３における回転軸３１Ｌよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。更に、複数のフィン３３は、実施集合体２００の正面から見て右下後方から左上前方の方向に空気を導くように傾いている。そのため、上記のように右方向Ｒ側の流路を通過する空気が右方向Ｒ側の下流側内壁面１２４によって左方向Ｌ側に案内されるときに、当該空気は複数のフィン３３の長軸方向に沿って、ある程度上方向Ｕに流れる。その結果、吹出口２２Ｌから吹き出される空気は若干上方向Ｕ寄りの左方向Ｌ（Ｌｕ）に吹き出される。
【０１６１】
一方、風向調整ユニット３０Ｒについては、上述した（ｄ）の場合における風向調整ユニット３０Ｌ及び（ｆ）の場合における風向調整ユニット３０Ｒと同様に、板体３２を正方向に２２５度回転させた状態にある（回転角度ＳＲ＝２２５度）。従って、吹出口２２Ｒから吹き出される空気は、左方向Ｌ側の下流側内壁面１２４によって右方向Ｒに案内されると共に、複数のフィン３３の長軸方向に沿って、ある程度上方向Ｕに流れる。その結果、吹出口２２Ｒから吹き出される空気は若干上方向Ｕ寄りの右方向Ｒ（Ｒｕ）に吹き出される。
【０１６２】
以上のように、吹出口２２Ｌからの吹き出し空気流は若干上方向Ｕ寄りの左方向Ｌ（Ｌｕ）に吹き出され、吹出口２２Ｒからの吹き出し空気流は若干上方向Ｕ寄りの右方向Ｒ（Ｒｕ）に吹き出される。従って、吹出口２２Ｌからの吹き出し空気流及び吹出口２２Ｒからの吹き出し空気流は、何れも若干上方向Ｕ寄りに吹き出すと共に、それぞれ左方向Ｌ及び右方向Ｒに吹き出される。その結果、実施集合体２００全体としての吹き出し空気流は、側面視においては正面方向Ｆよりも若干上方向Ｕに吹き出され、上面視においては左右方向ＬＲに広がって吹き出された。
【０１６３】
しかしながら、この場合、実施集合体２００全体としての吹き出し空気流の左右方向ＬＲにおける広がりは小さかった。これは、吹出口２２Ｌからの吹き出し空気流と吹出口２２Ｒからの吹き出し空気流との干渉に起因するものと考えられる。
【０１６４】
（ｈ）ＳＬ＝４５度及びＳＲ＝１３５度の場合
この場合、風向調整ユニット３０Ｌについては、板体３２を正方向に４５度回転させた状態にある（回転角度ＳＬ＝４５度）。この場合、下流側端部１２３における回転軸３１Ｌよりも左方向Ｌ側の流路の断面積が板体３２の主部によって低減され、右方向Ｒ側の流路の断面積よりも小さくなる。従って、右方向Ｒ側の流路を通過する空気の量が相対的に増え、流速が高まり、右方向Ｒ側の下流側内壁面１２４によって左方向Ｌに案内される空気の量が増える。更に、複数のフィン３３は、実施集合体２００の正面から見て左上後方から右下前方の方向に空気を導くように傾いている。そのため、上記のように右方向Ｒ側の流路を通過する空気が右方向Ｒ側の下流側内壁面１２４によって左方向Ｌに案内されるときに、当該空気は複数のフィン３３の長軸方向に沿って下方向Ｕに流れる。その結果、吹出口２２Ｌから吹き出される空気は、若干下方向Ｄ寄りの左方向Ｌ（Ｌｄ）に吹き出される。
【０１６５】
一方、風向調整ユニット３０Ｒについては、上述した（ｄ）及び（ｅ）の場合における風向調整ユニット３０Ｒと同様に、板体３２を正方向に１３５度回転させた状態にある（回転角度ＳＲ＝１３５度）。従って、吹出口２２Ｒから吹き出される空気は、左方向Ｌ側の下流側内壁面１２４によって右方向Ｒに案内されると共に、複数のフィン３３の長軸方向に沿って、ある程度下方向Ｄに流れる。その結果、吹出口２２Ｒから吹き出される空気は若干下方向Ｄ寄りの右方向Ｒ（Ｒｄ）に吹き出される。
【０１６６】
以上のように、吹出口２２Ｌからの吹き出し空気流は若干下方向Ｄ寄りの左方向Ｌ（Ｌｄ）に吹き出され、吹出口２２Ｒからの吹き出し空気流は若干下方向Ｄ寄りの右方向Ｒ（Ｒｄ）に吹き出される。従って、吹出口２２Ｌからの吹き出し空気流及び吹出口２２Ｒからの吹き出し空気流は、何れも若干上方向Ｕ寄りに吹き出すと共に、それぞれ左方向Ｌ及び右方向Ｒに吹き出される。その結果、実施集合体２００全体としての吹き出し空気流は、側面視においては正面方向Ｆよりも若干下方向Ｄに吹き出され、上面視においては左右方向ＬＲに広がって吹き出された。
【０１６７】
しかしながら、この場合、実施集合体２００全体としての吹き出し空気流の左右方向ＬＲにおける広がりは小さかった。これは、吹出口２２Ｌからの吹き出し空気流と吹出口２２Ｒからの吹き出し空気流との干渉に起因するものと考えられる。
【０１６８】
以上説明してきた実施集合体２００における風向調整ユニット３０Ｌ及び３０Ｒの回転角度ＳＬ及びＳＲと吹き出し空気流の流れ方向との対応関係を以下の表２に纏める。
【０１６９】
【表３】
0006682236.tif 000004
【０１７０】
以上のように、実施集合体２００もまた、風向調整ユニット３０Ｌ及び３０Ｒの回転軸３１Ｌ及び３１Ｒの回転角度ＳＬ及びＳＲを適宜調整することにより、吹出口２２Ｌ及び２２Ｒから吹き出される空気の流れ方向を制御することができる。従って、実施集合体２００によれば、従来装置に比べて、空気吹出装置としての機能を損なうこと無くより小型化を達成したり、吹出口２２Ｌ及び２２Ｒの形状をより自由に設計したりすることができる。
【０１７１】
更に、実施集合体２００においては、２本の風向調整ユニット３０Ｌ及び３０Ｒが異なる位相にて回転軸３１Ｌ及び３１Ｒの周りに回転する。これにより、吹出口２２Ｌ及び２２Ｒから吹き出される吹き出し空気流の流れ方向が異なるので、上記のように、吹き出し空気流をより広い範囲に吹き出したり、異なる空気吹出装置から吹き出される吹き出し空気流の干渉により、これらの吹き出し空気流を収束させたりすることができる。
【０１７２】
尚、以上説明してきたように、実施集合体２００においては、２本の風向調整ユニット３０Ｌ及び３０Ｒの回転角度ＳＬ及びＳＲがそれぞれ独立して設定される。しかしながら、風向調整ユニット３０Ｌ及び３０Ｒは、例えば歯車機構等により、それぞれの回転角度ＳＬ及びＳＲが一定の関係を満たすように回転するように構成され得る。具体的には、例えば、回転軸３１Ｌと回転軸３１Ｒとが一定の位相差にて同方向に回転するように構成してもよく、或いは、回転軸３１Ｌと回転軸３１Ｒとが逆方向に回転するように構成してもよい。
【０１７３】
《第４実施形態》
ところで、例えば実施集合体２００のように複数の風向調整ユニットを備え、そのうち少なくとも１つの風向調整ユニットを他の風向調整ユニットとは異なる位相にて回転軸の周りに回転させる場合、上述したように異なる吹出口からの吹き出し空気流の干渉が生じ得る。その結果、これらの吹き出し空気流の意図せぬ収束又は発散等により、例えば、吹き出し空気流が意図せぬ方向に吹き出されたり、吹き出し空気流が目的とする方向に吹き出されなかったりする場合がある。
【０１７４】
そこで、本発明のもう１つの実施形態に係る空気吹出装置の集合体（以下、「実施集合体３００」とも称呼される。）」は、隣接する前記吹出口から吹き出される空気の流れの干渉を防止する干渉防止ユニットを更に備える。
【０１７５】
実施集合体３００によれば、異なる吹出口から吹き出される空気の流れ（吹き出し空気流）の干渉が防止されるので、これらの吹き出し空気流の意図せぬ収束又は発散等が低減される。その結果、空気吹出装置の集合体の全体としての吹き出し空気流が、意図せぬ方向に吹き出されたり、目的とする方向に吹き出されなかったりする問題を低減することができる。
【０１７６】
実施集合体３００は、隣接する前記吹出口から吹き出される空気の流れの干渉を防止する干渉防止ユニットを更に備える点を除き、上述した実施集合体２００と同様の構成を有する。従って、干渉防止ユニット以外の実施集合体３００の構成についての説明は割愛する。一方、実施集合体３００が備える干渉防止ユニットの具体例については、以下に詳細に説明する。
【０１７７】
＜干渉防止ユニットの具体例１＞
図１４は、実施集合体３００が備える干渉防止ユニット１３０の１つの具体例を示す模式図である。（ａ）は実施集合体３００の正面図であり、（ｂ）は実施集合体３００の底面図である。
【０１７８】
図１４に例示する実施集合体３００は、吹出口２２Ｌ及び２２Ｒから吹き出される空気の流れの干渉を防止する干渉防止ユニット１３０として、吹出口２２Ｌと吹出口２２Ｒとの間の領域（図１４の（ａ）において破線によって囲まれた部分）に立設された衝立状（又は板状）の突起１３０ａを備える（斜線部を参照）。これにより、図１４の（ｂ）に示すように、隣接する吹き出し空気流（白抜きの矢印）の干渉を物理的に低減することができる。
【０１７９】
尚、衝立状の突起１３０ａの具体的な大きさ及び形状は、例えば、実施集合体３００において想定される吹き出し空気流の流れ方向及び流量（風量）等に応じて、適宜定めることができる。また、突起１３０ａを構成する材料は、例えば、上記のようにして定められる突起１３０ａの大きさ及び形に応じて、適宜定めることができる。
【０１８０】
＜干渉防止ユニットの具体例２＞
図１５は、実施集合体３００が備える干渉防止ユニット１３０のもう１つの具体例を示す模式図である。図１４と同様に、（ａ）は実施集合体３００の正面図であり、（ｂ）は実施集合体３００の底面図である。
【０１８１】
図１５に例示する実施集合体３００が備える干渉防止ユニット１３０は、吹出口２２Ｌと吹出口２２Ｒとの間の領域（図１５の（ａ）において破線によって囲まれた部分）に設けられた開口部１３０ｂから空気を吹き出すように構成される（図１５の（ａ）に示した斜線部を参照）。典型的には、干渉防止ユニット１３０は、隣接する吹出口２２Ｌと吹出口２２Ｒとの間に設けられたスリット状の開口部１３０ｂから空気を吹き出す（図１５の（ｂ）に示した黒塗りの矢印を参照）。この開口部１３０ｂから吹き出される空気の流れ（黒塗りの矢印）が、図１５の（ｂ）に示すように、隣接する吹き出し空気流（白抜きの矢印）の間に介在して、これらの吹き出し空気流の干渉を低減することができる。
【０１８２】
尚、上記開口部１３０ｂの具体的な大きさ及び形状は、例えば、実施集合体３００において想定される吹き出し空気流の流れ方向及び流量（風量）等に応じて、適宜定めることができる。また、開口部１３０ｂから吹き出される空気の流れの流れ方向及び流量（風量）もまた、例えば、実施集合体３００において想定される吹き出し空気流の流れ方向及び流量（風量）等に応じて、適宜定めることができる。更に、開口部１３０ｂから空気を吹き出すための機構は、上記目的が達成されうる限り、特に限定されない。典型的には、図１５の（ｂ）において点線によって示したように、実施集合体３００の導入口２１側から導入された空気が開口部１３０ｂから吹き出されるように構成される。
【０１８３】
＜干渉防止ユニットの具体例３＞
図１６は、実施集合体３００が備える干渉防止ユニット１３０の更にもう１つの具体例を示す模式図である。図１４及び図１５と同様に、（ａ）は実施集合体３００の正面図であり、（ｂ）は実施集合体３００の底面図である。
【０１８４】
図１６に例示する実施集合体３００が備える干渉防止ユニット１３０は、吹出口２２Ｌと吹出口２２Ｒとの間の領域（図１６の（ａ）において破線によって囲まれた部分）に形成された溝１３０ｃによって構成される（斜線部を参照）。典型的には、干渉防止ユニット１３０は、溝１３０ｃの（上方向Ｕ側及び下方向Ｄ側の）両端から周辺の空気を溝の内部へと導入する（図１６の（ａ）に示した黒塗りの矢印を参照）。この導入された周辺の空気が、吹き出し空気流に起因する随伴流の発生を促進する（図１５の（ｂ）に示した黒塗りの矢印を参照）。この随伴流が、隣接する吹き出し空気流（白抜きの矢印）の間に介在して、これらの吹き出し空気流の干渉を低減することができる。
【０１８５】
尚、上記溝１３０ｃの具体的な大きさ及び形状は、例えば、実施集合体３００において想定される吹き出し空気流の流れ方向及び流量（風量）等に応じて、適宜定めることができる。尚、上記説明からも明らかであるように、周辺の空気を溝１３０ｃの内部へと導入して吹き出し空気流に起因する随伴流の発生を促進するように流すための機構としては、上記溝１３０ｃ以外には特に必要とされない。
【０１８６】
《第５実施形態》
ところで、前述したように、本発明に係る空気吹出装置及びその集合体は、風向調整ユニットの回転により、吹き出し空気流の流れ方向及び流量を制御することができる。しかしながら、本発明に係る空気吹出装置及びその集合体は、空気流路を通って下流側端部に供給される空気の流量を調節するための機構を別途備えていてもよい。
【０１８７】
そこで、本発明のもう１つの実施形態に係る空気吹出装置の集合体（以下、「実施集合体４００」とも称呼される。）」は、前記下流側端部に供給される空気の流量を調節する風量調整ユニットを更に備える。
【０１８８】
図１７は、風量調整ユニット１４０を備える実施集合体４００の（ａ）水平面による模式的な断面図及び（ｂ）風向調整ユニット３０Ｌ及び３０Ｒの回転軸３１Ｌ及び３１Ｒに平行な空気流路の軸線を含む平面による模式的な断面図である。図１７に示すように、実施集合体４００が備える風量調整ユニット１４０は、空気流路の風向調整ユニット３０Ｌ及び３０Ｒよりも上流側に設けられたダンパである。
【０１８９】
上記風量調整ユニット１４０（ダンパ）は、上下方向ＵＤに平行な回転軸１４１の周りに回転可能に筐体２０に取り付けられており、その回転角度により、空気流路の断面積を変更することができる。尚、実施集合体４００において、風量調整ユニット１４０（ダンパ）の回転角度は、風量調整ユニットの操作ノブ１４４及び操作シャフト１４５を回転させることによって変更することができる。具体的には、例えば、風量調整ユニット１４０（ダンパ）の操作ノブ１４４を操作者が回転させることにより操作シャフト１４５を回転させ、この操作シャフト１４５の回転を、図示しない歯車及びベルト等の機構を介して回転軸１４１に伝達する。これにより、風量調整ユニット１４０（ダンパ）の回転角度を変更することができる。或いは、風量調整ユニット１４０（ダンパ）の回転角度は、例えば、操作者からの指示に応じて、図示しないステッピングモータ等の駆動装置を使用して、回転軸１４１を回転させることにより、所望の角度に調整することもできる。
【０１９０】
上記により、空気流路を通って下流側端部１２３に供給される空気の流量を風向調整ユニット３０Ｌ及び３０Ｒの回転とは独立して調節することができるので、吹き出し空気流の流れ方向と流量との組み合わせをより多様に制御することができる。
【０１９１】
尚、実施集合体４００は、空気流路の上流側の端部に１つの統合空気流路を備え、この統合空気流路が分岐して、下流側端部１２３へと連通しているように構成されている。そして、風量調整ユニット１４０は、上記統合空気流路に設けられた１つのダンパによって下流側端部１２３に供給される空気の流量を一括して調節するように構成されている。
【０１９２】
しかしながら、風量調整ユニット１４０は、実施集合体４００を構成する２本の風向調整ユニット３０Ｌ及び３０Ｒのそれぞれの下流側端部１２３に供給される空気の流量を個別に調節するように構成されていてもよい。この場合、実施集合体４００は、例えば、２本の風向調整ユニット３０Ｌ及び３０Ｒのそれぞれに連通する空気流路を備え、当該空気流路において風向調整ユニットよりも上流側にそれぞれ設けられたダンパによって風量調整ユニットが構成され得る。
【０１９３】
《第６実施形態》
ところで、前述したように、吹き出し空気流の流れ方向は、風向調整ユニットの回転軸の回転に伴って連続的に変化する。従って、風向調整ユニットの回転軸の回転角度によっては、望ましくない方向及び／又は必要ではない方向に吹き出し空気流が吹き出される場合もあり得る。このような場合、上述した風量調整ユニットにより、望ましくない方向及び／又は必要ではない方向に吹き出される吹き出し空気流の流量を減少させたり、望ましくない方向及び／又は必要ではない方向に吹き出し空気流が吹き出されないようにしたりすることができる。
【０１９４】
特に、風量調整ユニットは、風向調整ユニットの回転と連動して、望ましくない方向及び／又は必要ではない方向に吹き出される吹き出し空気流の流量を減少させたり、望ましくない方向及び／又は必要ではない方向に吹き出し空気流が吹き出されないようにしたりすることができることが好ましい。
【０１９５】
そこで、本発明のもう１つの実施形態に係る空気吹出装置の集合体（以下、「実施集合体５００」とも称呼される。）」においては、前記風量調整ユニットが、前記下流側端部に供給される空気の流量を前記風向調整ユニットの回転に伴って調節する、ように構成され得る。これによれば、風向調整ユニットの回転軸の回転角度を調整することにより、風量調整ユニットを個別に操作すること無く、望ましくない方向及び／又は必要ではない方向に吹き出される吹き出し空気流の流量を減少させたり、望ましくない方向及び／又は必要ではない方向に吹き出し空気流が吹き出されないようにしたりすることができる。
【０１９６】
例えば、上述した実施集合体４００のように、風量調整ユニット１４０が統合空気流路に設けられた１つのダンパによって構成されており、下流側端部１２３に供給される空気の流量を一括して調節するように構成されている場合を想定する。このような場合においては、例えば歯車及びベルト等の機構により、風量調整ユニット１４０の回転角度と風向調整ユニット３０Ｌ及び３０Ｒの回転角度ＳＬ及びＳＲとが一定の関係を満たすように回転するように構成され得る。具体的には、例えば、望ましくない方向及び／又は必要ではない方向に吹き出し空気流が吹き出される風向調整ユニット３０Ｌ及び３０Ｒの回転角度ＳＬ及びＳＲにおいて、空気流路の断面積が小さくなる風量調整ユニット１４０の回転角度となるように、上記機構を構成することができる。但し、このように風量調整ユニットと風向調整ユニットとを連動させることは必須ではない。
【０１９７】
尚、以上説明してきた実施集合体１００乃至５００として、いずれも２本の風向調整ユニット３０Ｌ及び３０Ｒを備える実施形態を例示したが、当然のことながら、本発明に係る空気吹出装置の集合体が備え得る風向調整ユニットの数は２本に限定されない。また、本発明に係る空気吹出装置の集合体が備える複数の風向調整ユニットの配置は上述した配置に限定されない。即ち、本発明に係る空気吹出装置の集合体は、例えば、その用途及び／又は設計仕様に応じて、必要とされる数の風向調整ユニットを必要とされる配置にて備えることができる。
【０１９８】
以上、本発明を説明することを目的として、特定の構成を有する幾つかの実施形態及び変形例につき、時に添付図面を参照しながら説明してきたが、本発明の範囲は、これらの例示的な実施形態及び変形例に限定されると解釈されるべきではなく、特許請求の範囲及び明細書に記載された事項の範囲内で、適宜修正を加えることが可能であることは言うまでも無い。
【符号の説明】
【０１９９】
１０…空気吹出装置、２０…筐体、２１…導入口、２２、２２Ｌ及び２２Ｒ…吹出口、２３及び１２３…下流側端部、２４…下流側内壁面、３０、３０Ｌ及び３０Ｒ…風向調整ユニット、３１…回転軸、３２…板体、３３…フィン、１００及び２００…空気吹出装置の集合体、１２４…下流側内壁面（隔壁１２５の壁面と下流側内壁面２４との総称）、１２５…隔壁、１３０…干渉防止ユニット、１３０ａ…（衝立状又は板状の）突起、１３０ｂ…（スリット状の）開口部、１３０ｃ…溝、１４０…風量調整ユニット（ダンパ）、１４１…風量調整ユニットの回転軸、１４４…風量調整ユニットの操作ノブ、１４５…風量調整ユニットの操作シャフト。
【図１】
0006682236.tif 000005
【図２】
0006682236.tif 000006
【図３】
0006682236.tif 000007
【図４】
0006682236.tif 000008
【図５】
0006682236.tif 000009
【図６】
0006682236.tif 000010
【図７】
0006682236.tif 000011
【図８】
0006682236.tif 000012
【図９】
0006682236.tif 000013
【図１０】
0006682236.tif 000014
【図１１】
0006682236.tif 000015
【図１２】
0006682236.tif 000016
【図１３】
0006682236.tif 000017
【図１４】
0006682236.tif 000018
【図１５】
0006682236.tif 000019
【図１６】
0006682236.tif 000020
【図１７】
0006682236.tif 000021